(57)【要約】  例示的な実施形態は、基地局の中央ユニット（ＣＵ）により実行され、ユーザ機器（ＵＥ）にサーブするために基地局の第１の分散ユニット（ＤＵ）が使用するスペシャルセル（ＳｐＣｅｌｌ）を選択する方法を含む。このような実施形態は、ＵＥの好適なＳｐＣｅｌｌとして、第１のＤＵがサーブする第１のセルの識別情報と、第１のＤＵがサーブする１つまたは複数の第２のセルの識別情報とを含む第１のリクエストを第１のＤＵに送信することを含み得る。また、このような実施形態は、第１のＤＵがＵＥのＳｐＣｅｌｌとして第１のセルを設定できないという第１の指標と、第１のＤＵがＵＥのＳｐＣｅｌｌとしてゼロ個以上の第３のセルを設定できるという第２の指標とを含む第１の応答を第１のＤＵから受信することを含み得る。【選択図】図１０
2021515465.tif 000002
【特許請求の範囲】
【請求項１】
基地局の中央ユニット（ＣＵ）により実行され、ユーザ機器（ＵＥ）にサーブするために前記基地局の第１の分散ユニット（ＤＵ）が使用するスペシャルセル（ＳｐＣｅｌｌ）を選択する方法であって、
前記ＵＥの好適なＳｐＣｅｌｌとして、前記第１のＤＵがサーブする第１のセルの識別情報と、
前記第１のＤＵがサーブする１つまたは複数の第２のセルの識別情報と、
を含む第１のリクエストを前記第１のＤＵに送信すること（１０３０）と、
前記第１のＤＵが前記ＵＥのＳｐＣｅｌｌとして前記第１のセルを設定できないという第１の指標と、
前記第１のＤＵが前記ＵＥのＳｐＣｅｌｌとしてゼロ個以上の第３のセルを設定できるという第２の指標と、
を含む第１の応答を前記第１のＤＵから受信すること（１０４０）と、
を含む、方法。
【請求項２】
前記第１のＤＵを含む１つまたは複数のＤＵと関連付けられた複数のセルに関する無線信号測定結果を受信すること（１０１０）と、
前記無線信号測定結果に基づいて、前記複数のセルから前記第１のセルおよび前記１つまたは複数の第２のセルを選択すること（１０２０）と、
をさらに含む、請求項１に記載の方法。
【請求項３】
前記第２の指標が、
前記第１のＤＵが前記ＵＥのＳｐＣｅｌｌとして前記第２のセルのいずれも設定できないという指標と、
識別された前記第３のセルのそれぞれが前記第２のセルのうちの１つである前記第３のセルの識別情報と、
のうちの少なくとも一方を含む、請求項１または２に記載の方法。
【請求項４】
前記識別した第３のセルから前記ＵＥのＳｐＣｅｌｌを選択すること（１０８０）をさらに含む、請求項３に記載の方法。
【請求項５】
前記第３のセルの前記識別情報が、順序付きリストにて受信され、
前記リストの順序が、前記第１のＤＵの１つまたは複数の動作状態に基づく、請求項３または４に記載の方法。
【請求項６】
前記１つまたは複数の動作状態が、
第１のＤＵ負荷状態と、
前記第３のセルのそれぞれと関連付けられた第１のＤＵリソースの可用性と、
前記第３のセルのそれぞれと関連付けられた第１のＤＵカバレッジエリア内の前記ＵＥの場所と、
のうちのいずれかを含む、請求項５に記載の方法。
【請求項７】
前記第１の応答が、前記第１のＤＵが前記ＵＥのＳｐＣｅｌｌとして前記第１のセルを設定できない理由を示す原因値も含み、
前記原因値が、前記第１のＤＵの前記１つまたは複数の動作状態と関連する、請求項５または６に記載の方法。
【請求項８】
前記第３のセルから前記ＵＥの前記ＳｐＣｅｌｌを選択すること（１０８０）が、前記リストの順序および前記受信した無線信号測定結果に基づく、請求項５から７のいずれか一項に記載の方法。
【請求項９】
前記１つまたは複数の第２のセルが、前記ＵＥの候補ＳｐＣｅｌｌおよび前記ＵＥの候補セカンダリセル（ＳＣｅｌｌ）のうちの一方を含む、請求項１から８のいずれか一項に記載の方法。
【請求項１０】
前記第１のリクエストおよび前記第１の応答が、
ＵＥコンテキスト設定リクエストとＵＥコンテキスト設定障害、および
ＵＥコンテキスト修正リクエストとＵＥコンテキスト修正障害
のメッセージ対のうちの一方を含む、請求項１から９のいずれか一項に記載の方法。
【請求項１１】
前記無線信号測定結果に基づいて、前記複数のセルから、第２のＤＵがサーブする別の第１のセルならびに１つもしくは複数の別の第２のセルを選択すること（１０５０）と、
前記別の第１のセルの識別情報および前記別の第２のセルの識別情報を含む第２のリクエストを前記第２のＤＵに送信すること（１０６０）と、
前記第２のＤＵが前記ＵＥのＳｐＣｅｌｌとして前記別の第１のセルを設定できないという別の第１の指標と、
前記第２のＤＵが前記ＵＥのＳｐＣｅｌｌとしてゼロ個以上の別の第３のセルを設定できるという別の第２の指標と、
を含む第２の応答を前記第２のＤＵから受信すること（１０７０）と、
をさらに含む、請求項２に記載の方法。
【請求項１２】
前記別の第２の指標が、
前記第２のＤＵが前記ＵＥのＳｐＣｅｌｌとして前記別の第２のセルのいずれも設定できないという指標と、
識別された前記別の第３のセルのそれぞれが前記別の第２のセルのうちの１つである前記別の第３のセルの識別情報と、
のうちの少なくとも一方を含む、請求項１１に記載の方法。
【請求項１３】
前記第１の応答により識別される前記第３のセルおよび前記第２の応答により識別される前記別の第３のセルの組合せから、前記ＵＥのＳｐＣｅｌｌを選択すること（１０８０）をさらに含む、請求項１２に記載の方法。
【請求項１４】
基地局の分散ユニット（ＤＵ）により実行され、ユーザ機器（ＵＥ）にサーブするために使用されるスペシャルセル（ＳｐＣｅｌｌ）を選択する方法であって、
前記ＵＥの好適なＳｐＣｅｌｌとして、前記ＤＵがサーブする第１のセルの識別情報と、
前記ＤＵがサーブする１つまたは複数の第２のセルの識別情報と、
を含む第１のリクエストを前記基地局の中央ユニット（ＣＵ）から受信すること（１１１０）と、
前記ＵＥのＳｐＣｅｌｌとして前記第１のセルおよび前記第２のセルのいずれかを設定可能であるか否かを判定すること（１１２０）と、
前記ＵＥのＳｐＣｅｌｌとして前記第１のセルを設定できないという第１の指標と、
前記ＵＥのＳｐＣｅｌｌとしてゼロ個以上の第３のセルを設定できるという第２の指標と、
を含む第１の応答を前記ＣＵに送信すること（１１３０）と、
を含む、方法。
【請求項１５】
前記第２の指標が、
前記第１のＤＵが前記ＵＥのＳｐＣｅｌｌとして前記第２のセルのいずれも設定できないという指標と、
識別された前記第３のセルのそれぞれが前記第２のセルのうちの１つである前記第３のセルの識別情報と、
のうちの一方を含む、請求項１４に記載の方法。
【請求項１６】
前記第３のセルの前記識別情報が、順序付きリストにて送信され、
前記リストの順序が、前記ＤＵの１つまたは複数の動作状態に基づく、請求項１４または１５に記載の方法。
【請求項１７】
前記１つまたは複数の動作状態が、
ＤＵ負荷状態と、
前記第３のセルのそれぞれと関連付けられたＤＵリソースの可用性と、
前記第３のセルのそれぞれと関連付けられたＤＵカバレッジエリア内の前記ＵＥの場所と、
のうちのいずれかを含む、請求項１６に記載の方法。
【請求項１８】
前記第１の応答が、前記第１のＤＵが前記ＵＥのＳｐＣｅｌｌとして前記第１のセルを設定できない理由を示す原因値も含み、
前記原因値が、前記第１のＤＵの前記１つまたは複数の動作状態と関連する、請求項１６または１７に記載の方法。
【請求項１９】
前記ＣＵから、前記ＵＥの好適なＳｐＣｅｌｌとして前記第３のセルのうちの１つの識別情報を含む第２のリクエストを受信すること（１１４０）をさらに含む、請求項１４から１８のいずれか一項に記載の方法。
【請求項２０】
前記第１のリクエストが、前記ＵＥと関連付けられ、ＳｐＣｅｌｌがサーブする１つまたは複数の無線ベアラの識別情報も含み、
前記ＵＥのＳｐＣｅｌｌとして前記第１のセルおよび前記第２のセルのいずれかを設定可能であるか否かを判定すること（１１２０）が、前記第１のセルおよび前記第２のセルに関して前記無線ベアラのアドミッション制御を実行すること（１１２２）を含む、請求項１４から１９のいずれか一項に記載の方法。
【請求項２１】
前記１つまたは複数の第２のセルが、前記ＵＥの候補ＳｐＣｅｌｌおよび前記ＵＥの候補セカンダリセル（ＳＣｅｌｌ）のうちの一方を含む、請求項１４から２０のいずれか一項に記載の方法。
【請求項２２】
前記第１のリクエストおよび前記第１の応答が、
ＵＥコンテキスト設定リクエストとＵＥコンテキスト設定障害、および
ＵＥコンテキスト修正リクエストとＵＥコンテキスト修正障害
のメッセージ対のうちの一方を含む、請求項１４から２１のいずれか一項に記載の方法。
【請求項２３】
ユーザ機器（ＵＥ）にサーブするために基地局（３００）の第１の分散ユニット（ＤＵ）（３２０）が使用するスペシャルセル（ＳｐＣｅｌｌ）を選択するように構成された前記基地局（３００）の中央ユニット（ＣＵ）（３１０）であって、
請求項１から１３のいずれか一項に記載の方法に対応する動作を実行するように構成された処理回路（１２７０）と、
前記ＣＵに電力を供給するように構成された電源回路（１２８６）と、
を備える、中央ユニット（ＣＵ）（３１０）。
【請求項２４】
前記処理回路（１２７０）が、少なくとも前記第１のＤＵ（３２０）と通信するように構成された送受信回路（１２７２）をさらに備える、請求項２３に記載のＣＵ（３１０）。
【請求項２５】
前記処理回路（１２７０）により実行される場合に、請求項１から１３のいずれか一項に記載の方法に対応する動作を実行するように前記ＣＵ（３１０）を設定するコンピュータ実行可能命令を含む１つまたは複数のデバイス可読媒体（１２８０）をさらに備える、請求項２３または２４に記載のＣＵ（３１０）。
【請求項２６】
ユーザ機器（ＵＥ）にサーブするために使用されるスペシャルセル（ＳｐＣｅｌｌ）を選択するように構成された基地局（３００）の分散ユニット（ＤＵ）（３２０）であって、
請求項１４から２２のいずれか一項に記載の方法に対応する動作を実行するように構成された処理回路（１２７０）と、
前記ＤＵに電力を供給するように構成された電源回路（１２８６）と、
を備える、分散ユニット（ＤＵ）（３２０）。
【請求項２７】
前記処理回路（１２７０）が、前記基地局（３００）の中央ユニット（ＣＵ）（３１０）と通信するように構成された送受信回路（１２７２）をさらに備える、請求項２６に記載のＤＵ（３２０）。
【請求項２８】
前記処理回路（１２７０）により実行された場合に、請求項１４から２２のいずれか一項に記載の方法に対応する動作を実行するように前記ＤＵを設定するコンピュータ実行可能命令を含む１つまたは複数のデバイス可読媒体（１２８０）をさらに備える、請求項２６または２７に記載のＤＵ（３２０）。
【請求項２９】
ユーザ機器（ＵＥ）にサーブするために基地局（３００）の第１の分散ユニット（ＤＵ）（３２０）が使用するスペシャルセル（ＳｐＣｅｌｌ）を選択するように構成された前記基地局（３００）の中央ユニット（ＣＵ）（３１０）であって、
前記ＵＥの好適なＳｐＣｅｌｌとして、前記第１のＤＵがサーブする第１のセルの識別情報と、
前記第１のＤＵがサーブする１つまたは複数の第２のセルの識別情報と、
を含む第１のリクエストを前記第１のＤＵに送信すること（１０３０）と、
前記第１のＤＵが前記ＵＥのＳｐＣｅｌｌとして前記第１のセルを設定できないという第１の指標と、
前記第１のＤＵが前記ＵＥのＳｐＣｅｌｌとしてゼロ個以上の第３のセルを設定できるという第２の指標と、
を含む第１の応答を前記第１のＤＵから受信すること（１０４０）と、
を行うように構成された、中央ユニット（ＣＵ）（３１０）。
【請求項３０】
前記第１のＤＵを含む１つまたは複数のＤＵと関連付けられた複数のセルに関する無線信号測定結果を受信すること（１０１０）と、
前記無線信号測定結果に基づいて、前記複数のセルから前記第１のセルおよび前記１つまたは複数の第２のセルを選択すること（１０２０）と、
を行うようにさらに構成された、請求項２９に記載のＣＵ。
【請求項３１】
前記第２の指標が、
前記第１のＤＵが前記ＵＥのＳｐＣｅｌｌとして前記第２のセルのいずれも設定できないという指標と、
識別された前記第３のセルのそれぞれが前記第２のセルのうちの１つである前記第３のセルの識別情報と、
のうちの少なくとも一方を含む、請求項２９または３０に記載のＣＵ。
【請求項３２】
識別された前記第３のセルから前記ＵＥのＳｐＣｅｌｌを選択すること（１０８０）を行うようにさらに構成された、請求項３１に記載のＣＵ。
【請求項３３】
前記第３のセルの前記識別情報が、順序付きリストにて受信され、
前記リストの順序が、前記第１のＤＵの１つまたは複数の動作状態に基づく、請求項３１または３２に記載のＣＵ。
【請求項３４】
前記１つまたは複数の動作状態が、
第１のＤＵ負荷状態と、
前記第３のセルのそれぞれと関連付けられた第１のＤＵリソースの可用性と、
前記第３のセルのそれぞれと関連付けられた第１のＤＵカバレッジエリア内の前記ＵＥの場所と、
のうちのいずれかを含む、請求項３３に記載のＣＵ。
【請求項３５】
前記第１の応答が、前記第１のＤＵが前記ＵＥのＳｐＣｅｌｌとして前記第１のセルを設定できない理由を示す原因値も含み、
前記原因値が、前記第１のＤＵの前記１つまたは複数の動作状態と関連する、請求項３３または３４に記載のＣＵ。
【請求項３６】
前記リストの順序および前記受信した無線信号測定結果に基づいて、前記第３のセルから前記ＵＥの前記ＳｐＣｅｌｌを選択すること（１０８０）を行うように構成された、請求項３３から３５のいずれか一項に記載のＣＵ。
【請求項３７】
前記１つまたは複数の第２のセルが、前記ＵＥの候補ＳｐＣｅｌｌおよび前記ＵＥの候補セカンダリセル（ＳＣｅｌｌ）のうちの一方を含む、請求項２９から３６のいずれか一項に記載のＣＵ。
【請求項３８】
前記第１のリクエストおよび前記第１の応答が、
ＵＥコンテキスト設定リクエストとＵＥコンテキスト設定障害、および
ＵＥコンテキスト修正リクエストとＵＥコンテキスト修正障害
のメッセージ対のうちの一方を含む、請求項２９から３７のいずれか一項に記載のＣＵ。
【請求項３９】
前記無線信号測定結果に基づいて、前記複数のセルから、第２のＤＵがサーブする別の第１のセルおよび１つまたは複数の別の第２のセルを選択すること（１０５０）と、
前記別の第１のセルの識別情報および前記別の第２のセルの識別情報を含む第２のリクエストを前記第２のＤＵに送信すること（１０６０）と、
前記第２のＤＵが前記ＵＥのＳｐＣｅｌｌとして前記別の第１のセルを設定できないという別の第１の指標と、
前記第２のＤＵが前記ＵＥのＳｐＣｅｌｌとしてゼロ個以上の別の第３のセルを設定できるという別の第２の指標と、
を含む第２の応答を前記第２のＤＵから受信すること（１０７０）と、
を行うようにさらに構成された、請求項３０に記載のＣＵ。
【請求項４０】
前記別の第２の指標が、
前記第２のＤＵが前記ＵＥのＳｐＣｅｌｌとして前記別の第２のセルのいずれも設定できないという指標と、
識別された前記別の第３のセルのそれぞれが前記別の第２のセルのうちの１つである前記別の第３のセルの識別情報と、
のうちの少なくとも一方を含む、請求項３９に記載のＣＵ。
【請求項４１】
前記第１の応答により識別される前記第３のセルおよび前記第２の応答により識別される前記別の第３のセルの組合せから、前記ＵＥのＳｐＣｅｌｌを選択すること（１０８０）を行うようにさらに構成された、請求項４０に記載のＣＵ。
【請求項４２】
ユーザ機器（ＵＥ）にサーブするために使用されるスペシャルセル（ＳｐＣｅｌｌ）を選択するように構成された基地局（３００）の分散ユニット（ＤＵ）（３２０）であって、
前記ＵＥの好適なＳｐＣｅｌｌとして、前記ＤＵがサーブする第１のセルの識別情報と、
前記ＤＵがサーブする１つまたは複数の第２のセルの識別情報と、
を含む第１のリクエストを前記基地局の中央ユニット（ＣＵ）から受信すること（１１１０）と、
前記ＵＥのＳｐＣｅｌｌとして前記第１のセルおよび前記第２のセルのいずれかを設定可能であるか否かを判定すること（１１２０）と、
前記ＵＥのＳｐＣｅｌｌとして前記第１のセルを設定できないという第１の指標と、
前記ＵＥのＳｐＣｅｌｌとしてゼロ個以上の第３のセルを設定できるという第２の指標と、
を含む第１の応答を前記ＣＵに送信すること（１１３０）と、
を行うように構成された、分散ユニット（ＤＵ）（３２０）。
【請求項４３】
前記第２の指標が、
前記第１のＤＵが前記ＵＥのＳｐＣｅｌｌとして前記第２のセルのいずれも設定できないという指標と、
識別された前記第３のセルのそれぞれが前記第２のセルのうちの１つである前記第３のセルの識別情報と、
のうちの一方を含む、請求項４２に記載のＤＵ。
【請求項４４】
前記第３のセルの前記識別情報が、順序付きリストにて送信され、
前記リストの順序が、前記ＤＵの１つまたは複数の動作状態に基づく、請求項４２または４３に記載のＤＵ。
【請求項４５】
前記１つまたは複数の動作状態が、
ＤＵ負荷状態と、
前記第３のセルのそれぞれと関連付けられたＤＵリソースの可用性と、
前記第３のセルのそれぞれと関連付けられたＤＵカバレッジエリア内の前記ＵＥの場所と、
のうちのいずれかを含む、請求項４４に記載のＤＵ。
【請求項４６】
前記第１の応答が、前記第１のＤＵが前記ＵＥのＳｐＣｅｌｌとして前記第１のセルを設定できない理由を示す原因値も含み、
前記原因値が、前記第１のＤＵの前記１つまたは複数の動作状態と関連する、請求項４４または４５に記載のＤＵ。
【請求項４７】
前記ＣＵから、前記ＵＥの好適なＳｐＣｅｌｌとして前記第３のセルのうちの１つの識別情報を含む第２のリクエストを受信する（１１４０）ようにさらに構成された、請求項４２から４６のいずれか一項に記載のＤＵ。
【請求項４８】
前記第１のリクエストが、前記ＵＥと関連付けられ、ＳｐＣｅｌｌがサーブする１つまたは複数の無線ベアラの識別情報も含み、
前記第１のセルおよび前記第２のセルに関して前記無線ベアラのアドミッション制御を実行すること（１１２２）に基づいて、前記ＵＥのＳｐＣｅｌｌとして前記第１のセルおよび前記第２のセルのいずれかを設定可能であるか否かを判定する（１１２０）ように構成された、請求項４２から４７のいずれか一項に記載のＤＵ。
【請求項４９】
前記１つまたは複数の第２のセルが、前記ＵＥの候補ＳｐＣｅｌｌおよび前記ＵＥの候補セカンダリセル（ＳＣｅｌｌ）のうちの一方を含む、請求項４２から４８のいずれか一項に記載のＤＵ。
【請求項５０】
前記第１のリクエストおよび前記第１の応答が、
ＵＥコンテキスト設定リクエストとＵＥコンテキスト設定障害、および
ＵＥコンテキスト修正リクエストとＵＥコンテキスト修正障害
のメッセージ対のうちの一方を含む、請求項４２から４９のいずれか一項に記載のＤＵ。
【請求項５１】
基地局（３００）の中央ユニット（ＣＵ）（３１０）を含む処理回路により実行される場合に、請求項１から１３のいずれか一項に記載の方法に対応する動作を実行するように前記ＣＵを設定するコンピュータ実行可能命令を格納した非一時的コンピュータ可読媒体（１２８０）。
【請求項５２】
基地局（３００）の分散ユニット（ＤＵ）（３２０）を含む処理回路により実行される場合に、請求項１４から２２のいずれか一項に記載の方法に対応する動作を実行するように前記ＤＵを設定するコンピュータ実行可能命令を格納した非一時的コンピュータ可読媒体（１２８０）。
【発明の詳細な説明】
【技術分野】
【０００１】
本願は、一般に、無線通信システムおよび方法の分野に関し、より詳細には、分割および／または分散基地局アーキテクチャにおいて特定の無線デバイスにサーブするスペシャルセル（ＳｐＣｅｌｌ）を選択するデバイス、方法、およびコンピュータ可読媒体に関する。
【背景技術】
【０００２】
一般的に、本明細書において使用する用語はすべて、使用の文脈による異なる意味の明らかな付与および／または暗示のない限り、関連する技術分野における通常の意味に従って解釈されるものとする。別段の明示的な記述のない限り、要素、装置、構成要素、手段、ステップ等に対するすべての言及が、当該要素、装置、構成要素、手段、ステップ等の少なくとも１つの例に対する言及としてオープンに解釈されるものとする。本明細書に開示の如何なる方法のステップも、あるステップが別のステップに後続もしくは先行するものとする明示的な記載ならびに／またはあるステップが別のステップに後続もしくは先行する必要がある旨の暗示のない限り、開示の厳密な順序で実行する必要はない。本明細書に開示の実施形態のいずれかの如何なる特徴も、必要に応じて、その他任意の実施形態に適用可能である。同様に、実施形態のいずれかの如何なる利点も、その他任意の実施形態に適用可能であり、その逆もまた同様である。本明細書の実施形態の他の目的、特徴、および利点についても、以下の説明から明らかとなるであろう。
【０００３】
ロングタームエボリューション（ＬＴＥ）は、第３世代パートナーシッププロジェクト（３ＧＰＰ）内で開発され、最初はリリース８および９にて標準化された、いわゆる第４世代（４Ｇ）無線アクセス技術の総称であり、エボルブドＵＴＲＡＮ（Ｅ−ＵＴＲＡＮ）としても知られている。ＬＴＥは、さまざまなライセンス周波数帯で対象となっており、エボルブドパケットコア（ＥＰＣ）ネットワークを含むシステムアーキテクチャエボリューション（ＳＡＥ）と一般的に称する非無線態様の改良を伴う。ＬＴＥは、３ＧＰＰおよびそのワーキンググループ（ＷＧ）（無線アクセスネットワーク（ＲＡＮ）ＷＧおよび下位のワーキンググループ（たとえば、ＲＡＮ１、ＲＡＮ２等）を含む）により規格設定プロセスに従って開発された後続のリリースで進化し続けている。
【０００４】
ＬＴＥリリース８以来、ＵＥとｅＮＢとの間の無線リソース制御（ＲＲＣ）および非アクセス層（ＮＡＳ）メッセージのトランスポートに対して、３つのシグナリング無線ベアラ（ＳＲＢ）すなわちＳＲＢ０、ＳＲＢ１、およびＳＲＢ２が利用可能となっている。また、Ｒｅｌ−１３では、ＮＢ−ＩｏＴにおいてＤｏＮＡＳ（Ｄａｔａ  Ｏｖｅｒ  ＮＡＳ）をサポートする新たなＳＲＢ（ＳＲＢ１ｂｉｓとして知られる）が導入されている。
【０００５】
ＳＲＢ０は、ＣＣＣＨ論理チャネルを用いてＲＲＣメッセージを搬送するが、これは、ＲＲＣ接続設定、再開、および再確立の取り扱いに用いられる。ＵＥがｅＮＢに接続されると（すなわち、ＲＲＣ接続設定またはＲＲＣ接続再確立／再開に成功すると）、ＳＲＢ２の確立に先立って、ＲＲＣメッセージ（ピギーバックＮＡＳメッセージを含んでいてもよい）およびＮＡＳメッセージの別途取り扱いのため、ＳＲＢ１が用いられる（これらすべてにおいて、ＤＣＣＨ論理チャネルを使用する）。ＳＲＢ２は、記録済み測定情報等のＲＲＣメッセージのほか、ＮＡＳメッセージにも用いられる（これらすべてにおいて、ＤＣＣＨを使用する）。ＳＲＢ２がＳＲＢ１よりも優先されないのは、記録済み測定情報およびＮＡＳメッセージが非常に長くなる可能性があって、より緊急性が高く小さなＳＲＢ１メッセージを遮断してしまう可能性もあるためである。ＳＲＢ２は常に、セキュリティの有効化の後、Ｅ−ＵＴＲＡＮにより設定される。
【０００６】
ＬＴＥ  Ｒｅｌ−１０（リリース１０）において追加された特徴は、Ｒｅｌ−８との後方互換性を維持しつつ、２０ＭＨｚ超の帯域幅をサポートしたことである。このため、広帯域ＬＴＥ  Ｒｅｌ−１０キャリア（たとえば、２０ＭＨｚより広い）は、ＬＴＥ  Ｒｅｌ−８端末に対する多数のキャリア（「コンポーネントキャリア」または「ＣＣ」と称する）として現れるはずである。広帯域Ｒｅｌ−１０キャリアの効率的な使用に関しては、広帯域ＬＴＥ  Ｒｅｌ−１０キャリアのすべての部分において、レガシー（たとえば、Ｒｅｌ−８）端末をスケジューリング可能である。これを実現する１つの方法として、キャリアアグリゲーション（ＣＡ）が挙げられるが、これにより、ＬＴＥ  Ｒｅｌ−１０端末は複数のＣＣを受信可能であり、それぞれ、Ｒｅｌ−８キャリアと同じ構造を有していることが好ましい。
【０００７】
ＣＡの一例を図１に示す。本例において、基地局１００（たとえば、ｅＮｏｄｅＢ、略してｅＮＢ）は、図中にＰＣｅｌｌ１、ＳＣｅｌｌ２、およびＳＣｅｌｌ３と表記した３つの異なるセルを用いて、ＵＥ１０２等のユーザ機器（ＵＥ（たとえば、無線デバイス））にサービスまたはカバレッジを提供する。これらのセルにおけるカバレッジはそれぞれ、３つの異なるコンポーネントキャリアＣＣ１、ＣＣ２、およびＣＣ３によって提供される。この設定は、ほんの一例に過ぎず、任意数のキャリアおよびセルを用いたＣＡ設定が採用可能であることに留意すべきである。
【０００８】
ＬＴＥに関して、プライマリセル（ＰＣｅｌｌ（たとえば、ＰＣｅｌｌ１））は、データおよび制御シグナリングの両者をＰＣｅｌｌ上で伝送可能となるように無線デバイスにサーブする「主要」なセルとして規定される。一方、１つまたは複数の補助セルまたはセカンダリセル（ＳＣｅｌｌ（たとえば、ＳＣｅｌｌ２およびＳＣｅｌｌ３））は通常、データの伝送にのみ使用され、より高いデータスループットを可能にする追加の帯域幅を提供する。ＣＡ対応ＵＥには、常に有効化されたＰＣｅｌｌ（たとえば、ＰＣｅｌｌ１）と、動的に有効化または無効化可能な１つまたは複数のＳＣｅｌｌ（たとえば、ＳＣｅｌｌ２および／またはＳＣｅｌｌ３）が割り当てられる。
【０００９】
アグリゲートＣＣの数および個々のＣＣの帯域幅は、アップリンクとダウンリンクとで異なり得る。「対称設定」は、ダウンリンクおよびアップリンクにおけるＣＣの数が同じ場合を表し、「非対称設定」は、ＣＣの数が異なる場合を表す。さらに、あるセルで設定されるＣＣの数は、端末から見たＣＣの数とは異なっていてもよい。たとえば、同数のアップリンクおよびダウンリンクＣＣがセルに設定されている場合であっても、端末は、アップリンクＣＣよりも多くのダウンリンクＣＣをサポート可能である。
【００１０】
ＬＴＥ  Ｒｅｌ−１２においては、デュアルコネクティビティフレームワークが規定されている。デュアルコネクティビティ（または、ＤＣ）は、非理想バックホールにより相互に接続された少なくとも２つの異なるネットワーク点により与えられる無線リソースをＲＲＣ＿ＣＯＮＮＥＣＴＥＤ状態のＵＥが消費する動作モードを表す。ＬＴＥ規格において、これら２つのネットワーク点は、「マスターｅＮＢ」（ＭｅＮＢ）および「セカンダリｅＮＢ」（ＳｅＮＢ）と称する場合がある。より一般的には、マスターノード（ＭＮ）およびセカンダリノード（ＳＮ）と称し得る。ＤＣは、相互に物理的に分離され、相互に高速・高品質通信で接続されていないネットワークノードによりアグリゲートキャリアまたはセルが提供されるキャリアアグリゲーション（ＣＡ）の特殊な場合として見なし得る。
【００１１】
より具体的に、ＤＣにおいては、マスターセルグループ（ＭＣＧ）およびセカンダリセルグループ（ＳＣＧ）がＵＥに設定される。セルグループ（ＣＧ）は、ＭｅＮＢまたはＳｅＮＢと関連付けられたサービングセルのグループである。ＭＣＧおよびＳＣＧは、以下のように規定される。
マスターセルグループ（ＭＣＧ）は、ＭｅＮＢと関連付けられたサービングセルのグループであり、プライマリセル（ＰＣｅｌｌ）と、任意選択として１つまたは複数のセカンダリセル（ＳＣｅｌｌ）とを含む。
セカンダリセルグループ（ＳＣＧ）は、ＳｅＮＢと関連付けられたサービングセルのグループであり、プライマリＳＣｅｌｌ（ｐＳＣｅｌｌ）と、任意選択として１つまたは複数のＳＣｅｌｌとを含む。
用語「スペシャルセル（Ｓｐｅｃｉａｌ  Ｃｅｌｌ）」（略して「ＳｐＣｅｌｌ」）は、ＵＥのＭＡＣエンティティがＭＣＧと関連付けられているか、ＳＣＧと関連付けられているかに応じてそれぞれ、ＭＣＧのＰＣｅｌｌまたはＳＣＧのｐＳＣｅｌｌを表す。非ＤＣ動作（たとえば、ＣＡ）において、ＳｐＣｅｌｌは、ＰＣｅｌｌを表す。ＳｐＣｅｌｌは、常に有効化されており、ＵＥによる物理アップリンク制御チャネル（ＰＵＣＣＨ）伝送およびコンテンションベースのランダムアクセスをサポートする。
【００１２】
言い換えると、ＤＣにおけるＵＥは、アンカーノードおよびブースターノードへの同時接続を維持するが、この場合のアンカーノードはＭｅＮＢとも称し、ブースターノードはＳｅＮＢとも称する。その名称が暗示する通り、ＭｅＮＢは、ＵＥに向かう制御プレーン接続を終端させるため、ＵＥの制御ノードであり、ＳｅＮＢへのハンドオーバおよびＳｅＮＢからのハンドオーバを含む。たとえば、ＭｅＮＢは、少なくともＳ１−ＭＭＥ接続すなわちｅＮＢとＵＥのモビリティ管理エンティティ（ＭＭＥ）との間の接続を終端させるｅＮＢである。ＳｅＮＢは、ＵＥの付加的な無線リソース（たとえば、ベアラ）を提供しているｅＮＢであるが、ＭｅＮＢではない。無線リソースベアラの種類としては、ＭＣＧベアラ、ＳＣＧベアラ、およびスプリットベアラが挙げられる。
【００１３】
ＵＥとのＲＲＣ接続はＭｅＮＢのみが取り扱うため、ＳＲＢ（シグナリング無線ベアラ）は常にＭＣＧベアラ型として設定され、ＭＮの無線リソースのみを使用する。ただし、ＭｅＮＢは、ＳｅＮＢからの入力に基づいてＵＥを設定することも可能であるため、ＳｅＮＢが間接的にＵＥを制御可能となる。ＬＴＥ−ＤＣ設定において、ＭｅＮＢは、Ｘｎインターフェースを介してＳｅＮＢに接続されており、このインターフェースは現在、２つのｅＮＢ間のＸ２インターフェースと同じになるように選択されている。
【００１４】
ＬＴＥの原理によれば、ＵＥは、イベントトリガへの応答であれ、周期的トリガへの応答であれ、サービングセルの測定結果を含む測定結果レポートを提供する。ＬＴＥ−ＤＣにおけるＵＥの場合、サービングセルは、ＭＣＧ（ＭＮ）のセルおよびＳＣＧ（ＳＮ）のセルの両者を意味する。モビリティ測定に関して、ＭｅＮＢは、たとえば測定周波数、報告方法等を含むさまざまな基準に従ってＵＥを設定する。これに対応して、ＵＥは、測定基準が満たされると、測定結果をＭｅＮＢに送る。ＬＴＥの原理によれば、イベントトリガであれ、周期的トリガであれ、ＵＥは、測定結果レポートを送る必要がある場合、常に、サービングセルの測定結果をネットワークに送るものとする。ＬＴＥ−ＤＣにおけるＵＥの場合、サービングセルは、ＭＣＧ（ＭＮ）のセルおよびＳＣＧ（ＳＮ）のセルの両者を意味する。
【００１５】
図２は、ＵＥ１１０および基地局（ｅＮＢ）１２０を伴う種々例示的なＬＴＥ  ＤＣシナリオを示している。図示のように、図中のＵＥのいずれに対しても、接続されているＳｅＮＢは（最大でも）１つだけである。ただし、一般的には、２つ以上のＳｅＮＢがＵＥにサーブし得る。さらに、ＭｅＮＢおよびＳｅＮＢの両者からのセルは、ＵＥに対して１つずつしかサーブしないものとして示しているが、実際には、ＭｅＮＢおよびＳｅＮＢの両者から、２つ以上のセルがＵＥにサーブし得る。また、この図から、デュアルコネクティビティがＵＥ固有の特徴であり、所与のネットワークノード（または、サービングセル）が二重接続ＵＥおよびレガシーＵＥを同時にサポートし得ることも明らかである。言い換えると、ＭｅＮＢおよびＳｅＮＢは、特定の状況において（たとえば、特定のＵＥに関して）ｅＮＢ１２０が果たす役割または与える機能である。したがって、図２のｅＮＢ１２０は「ＭｅＮＢ」および「ＳｅＮＢ」と表記するが、これは、少なくとも１つのＵＥ１１０に対して両者がこのような役割を果たしているに過ぎないことを示している。実際のところ、所与のｅＮＢ１２０は、あるＵＥ１１０に対してはＭｅＮＢ、別のＵＥに対してはＳｅＮＢとなり得る。
【００１６】
言い換えると、マスター／アンカーおよびセカンダリ／ブースターの役割は、ＵＥの視点から規定されるが、これは、あるＵＥに対するアンカーとして作用するノード（または、セル）が別のＵＥに対するブースターとして作用し得ることを意味する。同様に、ＤＣシナリオにおける所与のＵＥは、アンカーノード（または、セル）からシステム情報を読み出すが、あるＵＥに対するブースターとして作用するノード（または、セル）は、システム情報を別のＵＥに配布するようにしてもよいし、配布しなくてもよい。さらに、ＬＴＥにおいては、周波数間ＤＣのみがサポートされている（すなわち、ＭＣＧおよびＳＣＧは、異なるキャリア周波数を使用する必要がある）。
【００１７】
要約すると、ＤＣによれば、ＬＴＥ対応ＵＥを２つのノード（ＭｅＮＢおよびＳｅＮＢ）に接続して、両ノードからデータを受信することにより、そのデータレートを増大させることができる。ＭｅＮＢ（または、ＭＮ）は、システム情報を提供するとともにＣＰを終端させ、また、ＵＰを終端させ得る。一方、ＳｅＮＢ（または、ＳＮ）は、ＵＰのみを終端させる。このＵＰアグリゲーションによれば、ＭｅＮＢとＳｅＮＢとの間の低レイテンシバックホール／ネットワーク接続がなくても、チャネル状態が良好なユーザのユーザごとのスループットが向上し、単一のノードでサポート可能なデータレートよりも高いデータレートで受信および送信できる利益が実現される。
【００１８】
３ＧＰＰにおいては、第５世代（５Ｇ）セルラー（たとえば、無線）ネットワークの新無線インターフェースに関する検討事項が最近になって完了している。３ＧＰＰは現在、ＮＲ（Ｎｅｗ  Ｒａｄｉｏ）と省略されることの多いこの新無線インターフェースの規格化を行っている。図３は、次世代ＲＡＮ（ＮＧ−ＲＡＮ）および５Ｇコア（５ＧＣ）から成る５Ｇネットワークアーキテクチャの高レベル図である。ＮＧ−ＲＡＮは、１つまたは複数のＮＧインターフェースを介して５ＧＣに接続された一組のｇＮｏｄｅＢ（ｇＮＢ）を含むことができ、このｇＮＢは、図３のｇＮＢ３００および３５０間のＸｎインターフェース等、１つまたは複数のＸｎインターフェースを介して互いに接続可能である。ＵＥに対するＮＲインターフェースに関して、ｇＮＢはそれぞれ、周波数分割複信（ＦＤＤ）、時分割複信（ＴＤＤ）、またはこれらの組合せをサポート可能である。
【００１９】
ＮＧ−ＲＡＮは、無線ネットワークレイヤ（ＲＮＬ）およびトランスポートネットワークレイヤ（ＴＮＬ）にレイヤ化されている。ＮＧ−ＲＡＮアーキテクチャすなわちＮＧ−ＲＡＮ論理ノードおよびそれらの間のインターフェースは、ＲＮＬの一部として規定される。ＮＧ−ＲＡＮインターフェース（ＮＧ、Ｘｎ、Ｆ１）のそれぞれについて、関連するＴＮＬプロトコルおよび機能が定められている。ＴＮＬは、ユーザプレーントランスポートおよびシグナリングトランスポートのサービスを提供する。いくつかの例示的な設定において、各ｇＮＢは、３ＧＰＰ  ＴＳ  ２３．５０１に規定された「ＡＭＦ領域」内のすべての５ＧＣノードに接続されている。ＮＧ−ＲＡＮインターフェースのＴＮＬ上のＣＰおよびＵＰデータに対するセキュリティ保護がサポートされている場合は、ＮＤＳ／ＩＰ（３ＧＰＰ  ＴＳ  ３３．４０１）が適用されるものとする。
【００２０】
図３に示す（および、ＴＳ  ３８．４０１およびＴＲ  ３８．８０１に記載の）ＮＧ−ＲＡＮ論理ノードは、中央（または、集中）ユニット（ＣＵまたはｇＮＢ−ＣＵ）と、１つまたは複数の分散（または、脱集中）ユニット（ＤＵまたはｇＮＢ−ＤＵ）とを具備する。たとえば、図３のｇＮＢ３００は、ｇＮＢ−ＣＵ３１０と、ｇＮＢ−ＤＵ３２０および３３０とを具備する。ＣＵ（たとえば、ｇＮＢ−ＣＵ３１０）は、上位レイヤプロトコルをホスティングするとともに、ＤＵの動作の制御等、さまざまなｇＮＢ機能を実行する論理ノードである。各ＤＵは、下位レイヤプロトコルをホスティングするとともに、機能分割に応じてｇＮＢ機能のさまざまな部分集合を含み得る論理ノードである。このため、ＣＵおよびＤＵはそれぞれ、処理回路、送受信回路（たとえば、通信用）、および電源回路等、それぞれの機能の実行に要するさまざまな回路を具備し得る。さらに、本明細書においては、用語「中央ユニット（ｃｅｎｔｒａｌ  ｕｎｉｔ）」および「集中ユニット（ｃｅｎｔｒａｌｉｚｅｄ  ｕｎｉｔ）」を区別なく使用しており、用語「分散ユニット（ｄｉｓｔｒｉｂｕｔｅｄ  ｕｎｉｔ）」および「脱集中ユニット（ｄｅｃｅｎｔｒａｌｉｚｅｄ  ｕｎｉｔ）」も同様である。
【００２１】
ｇＮＢ−ＣＵは、図３のインターフェース３２２および３３２等、各Ｆ１論理インターフェースを通じてｇＮＢ−ＤＵに接続されている。ｇＮＢ−ＣＵおよび接続されたｇＮＢ−ＤＵは、他のｇＮＢおよび５ＧＣに対してのみ、ｇＮＢとして見える。たとえば、Ｆ１インターフェースは、ｇＮＢ−ＣＵを越えては見られない。さらに、ｇＮＢ−ＣＵとｇＮＢ−ＤＵとの間のＦ１インターフェースは、以下の一般原則に基づいて定められている。
Ｆ１は、オープンインターフェースである。
Ｆ１は、各エンドポイント間のシグナリング情報の交換のほか、各エンドポイントへのデータ伝送をサポートする。
Ｆ１は、論理的観点から、（エンドポイント間の物理的な直接接続がなくても）エンドポイント間のポイント・ツー・ポイントインターフェースである。
Ｆ１は、ｇＮＢ−ＣＵがＣＰおよびＵＰにおいて分離され得るように、制御プレーン（ＣＰ）およびユーザプレーン（ＵＰ）の分離をサポートする。
Ｆ１は、無線ネットワークレイヤ（ＲＮＬ）およびトランスポートネットワークレイヤ（ＴＮＬ）を分離する。
Ｆ１は、ＵＥ関連情報および非ＵＥ関連情報の交換を可能にする。
Ｆ１は、新たな要件、サービス、および機能に関して時代遅れにならないように設計されている。
ｇＮＢは、Ｘ２、Ｘｎ、ＮＧ、およびＳ１−Ｕインターフェースを終端させ、ＤＵとＣＵとの間のＦ１インターフェースに関しては、３ＧＰＰ  ＴＳ  ３８．４７３に規定されたＦ１アプリケーション部プロトコル（Ｆ１−ＡＰ）を利用する。
【００２２】
簡潔に前述した通り、ＣＵは、たとえばＦ１−ＡＰ、ストリーム制御伝送プロトコル（ＳＣＴＰ）、ＧＰＲＳトンネリングプロトコル（ＧＴＰ）、パケットデータコンバージェンスプロトコル（ＰＤＣＰ）、ユーザデータグラムプロトコル（ＵＤＰ）、インターネットプロトコル（ＩＰ）、および無線リソース制御（ＲＲＣ）プロトコル等の上位レイヤプロトコルをホスティング可能である。これに対して、ＤＵは、たとえば無線リンク制御（ＲＬＣ）、媒体アクセス制御（ＭＡＣ）、および物理レイヤ（ＰＨＹ）プロトコル等の下位レイヤプロトコルをホスティング可能である。ただし、ＣＵにおけるＲＲＣ、ＰＤＣＰ、およびＲＬＣプロトコルの一部（たとえば、自動再送信リクエスト（ＡＲＱ）機能）等、ＣＵとＤＵとの間のプロトコル分布の他の変形も存在し得る一方、ＤＵにおいては、ＭＡＣおよびＰＨＹと併せて、ＲＬＣプロトコルのその他の部分がホスティングされる。いくつかの例示的な実施形態において、ＣＵは、ＲＲＣおよびＰＤＣＰをホスティング可能であるが、このＰＤＣＰは、ＵＰトラフィックおよびＣＰトラフィックの両者を取り扱うものと仮定される。それにも関わらず、他の例示的な実施形態では、ＣＵにおける特定のプロトコルおよびＤＵにおける他の特定のプロトコルのホスティングによって、他のプロトコル分割を利用し得る。また、例示的な実施形態においては、集中ユーザプレーンプロトコル（たとえば、ＰＤＣＰ−Ｕ）に関して、異なるＣＵで集中制御プレーンプロトコル（たとえば、ＰＤＣＰ−ＣおよびＲＲＣ）を設置することも可能である。
【００２３】
また、３ＧＰＰ  ＲＡＮ３ワーキンググループ（ＷＧ）においては、ｇＮＢ−ＣＵの分離をＣＵ−ＣＰ機能（シグナリング無線ベアラに対するＲＲＣおよびＰＤＣＰを含む）およびＣＵ−ＵＰ機能（ユーザプレーンに対するＰＤＣＰを含む）に対してサポートすることも合意されている。ＣＵ−ＣＰ部およびＣＵ−ＵＰ部は、Ｅ１インターフェースを通じたＥ１−ＡＰプロトコルを用いて互いに通信する。図４は、ＤＵ−ＣＵ分割およびＣＵ−ＣＰとＣＵ−ＵＰとの間の別途分離に基づく例示的なｇＮＢアーキテクチャを示している。
【００２４】
図３および図４に示すｇＮＢ分割ＣＵ−ＤＵアーキテクチャは、同じＣＵがサーブする複数のＤＵへのＵＥの接続または異なるＣＵがサーブする複数のＤＵへのＵＥの接続を可能にすることにより実現され得る。図３に示すように、ｇＮＢは、各Ｆ１インターフェースを介して１つまたは複数のｇＮＢ−ＤＵに接続されたｇＮＢ−ＣＵを具備し得るが、ｇＮＢ−ＤＵが接続可能なｇＮＢ−ＣＵは、１つだけである。
【００２５】
３ＧＰＰ  ＴＲ  ３８．８０４は、ＭＮおよびＳＮがＮＲ、ＬＴＥ、または両者を適用している種々例示的なＤＣシナリオまたは設定を記述する。以下の専門用語は、これらの例示的なＤＣシナリオまたは設定の説明に用いられる。
ＤＣ：ＬＴＥ  ＤＣ（すなわち、上述の通り、ＭＮおよびＳＮの両者がＬＴＥを採用する）
ＥＮ−ＤＣ：ＬＴＥがマスター、ＮＲがセカンダリであるＬＴＥ−ＮＲデュアルコネクティビティ
ＮＧＥＮ−ＤＣ：ＭＮとして作用する１つのＮＧ−ｅＮＢおよびＳＮとして作用する１つのｇＮＢにＵＥが接続されたＬＴＥ−ＮＲデュアルコネクティビティ（ＮＧ−ｅＮＢが５ＧＣに接続され、ｇＮＢがＸｎインターフェースを介してＮＧ−ｅＮＢに接続されている）
ＮＥ−ＤＣ：ＭＮとして作用する１つのｇＮＢおよびＳＮとして作用する１つのＮＧ−ｅＮＢにＵＥが接続されたＬＴＥ−ＮＲデュアルコネクティビティ（ｇＮＢが５ＧＣに接続され、ＮＧ−ｅＮＢがＸｎインターフェースを介してｇＮＢに接続されている）
ＮＲ−ＤＣ（または、ＮＲ−ＮＲ  ＤＣ）：ＭＮおよびＳＮの両者がＮＲおよび５ＧＣを採用
ＭＲ−ＤＣ（マルチＲＡＴ  ＤＣ）：ＴＳ  ３６．３００に記載のＥ−ＵＴＲＡ内デュアルコネクティビティ（ＤＣ）の一般化であり、非理想バックホールを介して接続された２つの異なるノードが提供するリソース（一方がＥ−ＵＴＲＡアクセスを提供し、他方がＮＲアクセスを提供する）を利用するように、複数のＲｘ／Ｔｘ  ＵＥが設定されていてもよい（一方のノードがＭＮとして作用し、他方がＳＮとして作用する。ＭＮおよびＳＮは、ネットワークインターフェースを介して接続されており、少なくともＭＮがコアネットワークに接続されている。ＥＮ−ＤＣおよびＮＥ−ＤＣは、ＭＲ−ＤＣの２つの異なる事例である）
【００２６】
図３および図４に示す５Ｇネットワークアーキテクチャは、ＣＡおよびＤＣのフレームワークを与えるが、分割ＣＵ−ＤＵアーキテクチャにおけるＳｐＣｅｌｌの選択および／または設定と関連付けられたさまざまな問題、障害、および／または課題が存在する。
【発明の概要】
【００２７】
本明細書に開示の例示的な実施形態は、分散（たとえば、ＣＵ−ＤＵ分割）基地局アーキテクチャにおけるＳｐＣｅｌｌの選択のための柔軟かつ効率的な技術を提供することによって、既存のソリューションの上記および他の課題、問題、および／または障害に対処する。このような例示的な実施形態では、必要なネットワークシグナリングの量を減らすことによって、ネットワークの機能および／または信頼性を向上可能である。
【００２８】
例示的な実施形態は、ユーザ機器（ＵＥ）にサーブするために基地局の第１の分散ユニット（ＤＵ）が使用するスペシャルセル（ＳｐＣｅｌｌ）を選択する方法および／または手順を含む。これらの例示的な方法および／または手順は、基地局の１つまたは複数の分散ユニット（ＤＵ（たとえば、ｇＮＢ−ＤＵ））と連通した基地局の中央ユニット（ＣＵ）またはノード（たとえば、ｇＮＢ−ＣＵ）によって実行可能である。
【００２９】
いくつかの実施形態において、これらの例示的な方法および／または手順は、第１のＤＵおよび場合によっては第２のＤＵを含む１つまたは複数のＤＵと関連付けられた複数のセルに関する無線信号測定結果を受信することを含み得る。また、いくつかの実施形態において、これらの例示的な方法および／または手順は、無線信号測定結果に基づいて、複数のセルから、ＵＥの好適なＳｐＣｅｌｌとしての第１のセルおよびＵＥの代替的なＳｐＣｅｌｌとしての１つまたは複数の第２のセルを選択することを含み得る。第１のセルならびに１つもしくは複数の第２のセルはともに、第１のＤＵがサーブ可能である。
【００３０】
また、これらの例示的な方法および／または手順は、ＵＥの好適なＳｐＣｅｌｌとしての第１のセルの識別情報と、１つまたは複数の第２のセルの識別情報とを含む第１のリクエストを第１のＤＵに送信することを含み得る。いくつかの実施形態において、１つまたは複数の第２のセルは、ＵＥの候補ＳｐＣｅｌｌおよびＵＥの候補セカンダリセル（ＳＣｅｌｌ）のうちの一方を含み得る。また、これらの例示的な方法および／または手順は、第１のＤＵがＵＥのＳｐＣｅｌｌとして第１のセルを設定できないという第１の指標と、第１のＤＵがＵＥのＳｐＣｅｌｌとしてゼロ個以上の第３のセルを設定できるという第２の指標とを含む第１の応答を第１のＤＵから受信することを含み得る。いくつかの実施形態において、第２の指標は、第１のＤＵがＵＥのＳｐＣｅｌｌとして第２のセルのいずれも設定できないという指標と、識別された第３のセルのそれぞれが第２のセルのうちの１つである第３のセルの識別情報とのうちの少なくとも一方を含む。
【００３１】
また、いくつかの実施形態において、これらの例示的な方法および／または手順は、無線信号測定結果に基づいて、第２のＤＵがサーブする別の第１のセルならびに１つもしくは複数の別の第２のセルを選択することを含み得る。また、このような実施形態は、（たとえば、ＵＥの好適なＳｐＣｅｌｌとしての）別の第１のセルの識別情報および別の第２のセルの識別情報を含む第２のリクエストを第２のＤＵに送信することを含み得る。また、このような実施形態は、第２のＤＵがＵＥのＳｐＣｅｌｌとして別の第１のセルを設定できないという別の第１の指標と、第２のＤＵがＵＥのＳｐＣｅｌｌとしてゼロ個以上の別の第３のセルを設定できるという別の第２の指標とを含む第２の応答を第２のＤＵから受信することを含み得る。
【００３２】
他の例示的な実施形態は、ユーザ機器（ＵＥ）にサーブするために使用されるスペシャルセル（ＳｐＣｅｌｌ）を選択する方法および／または手順を含む。これらの例示的な方法および／または手順は、基地局の中央ユニット（ＣＵ）またはノード（たとえば、ｇＮＢ−ＣＵ）に接続された基地局の分散ユニット（ＤＵ）またはノード（たとえば、ｇＮＢ−ＣＵ）によって実行可能である。
【００３３】
これらの例示的な方法および／または手順は、ＤＵがサーブするＵＥの好適なＳｐＣｅｌｌとしての第１のセルの識別情報と、ＤＵがサーブする１つまたは複数の第２のセルの識別情報とを含む第１のリクエストをＣＵから受信することを含み得る。いくつかの実施形態において、１つまたは複数の第２のセルは、ＵＥの候補ＳｐＣｅｌｌおよびＵＥの候補セカンダリセル（ＳＣｅｌｌ）のうちの一方を含み得る。
【００３４】
また、これらの例示的な方法および／または手順は、ＵＥのＳｐＣｅｌｌとして第１のセルおよび第２のセルのいずれかを設定可能であるか否かを判定することを含み得る。いくつかの実施形態において、ＤＵは、ＤＵ負荷状態と、第３のセルのそれぞれと関連付けられたＤＵリソースの可用性と、第３のセルのそれぞれと関連付けられたＤＵカバレッジエリア内のＵＥの場所とのうちのいずれかを含む１つまたは複数のＤＵ動作状態に基づいて、上記決定を行うことができる。
【００３５】
また、これらの例示的な方法および／または手順は、ＤＵがＵＥのＳｐＣｅｌｌとして第１のセルを設定できないという第１の指標と、ＤＵがＵＥのＳｐＣｅｌｌとしてゼロ個以上の第３のセルを設定できるという第２の指標とを含む第１の応答をＣＵに送信することを含み得る。いくつかの実施形態において、第２の指標は、ＤＵがＵＥのＳｐＣｅｌｌとして第２のセルのいずれも設定できないという指標と、識別された第３のセルのそれぞれが第２のセルのうちの１つである第３のセルの識別情報とのうちの少なくとも一方を含む。また、いくつかの実施形態において、これらの例示的な方法および／または手順は、ＣＵから、ＵＥの好適なＳｐＣｅｌｌとして第３のセルのうちの１つの識別情報を含む第２のリクエストを受信することを含み得る。
【００３６】
他の例示的な実施形態は、本明細書に記載の例示的な方法および／または手順に対応する動作を実行するように構成および／または設定された基地局の中央および分散ユニットおよび／またはノード（たとえば、ｇＮＢ−ＣＵ、ｇＮＢ−ＤＵ等）を含む。他の例示的な実施形態は、少なくとも１つのプロセッサにより実行された場合に、本明細書に記載の例示的な方法および／または手順に対応する動作を実行するように上記のような基地局のユニットおよび／またはノードを設定するプログラム命令を格納した非一時的コンピュータ可読媒体を含む。
【００３７】
本開示の例示的な実施形態の上記および他の目的、特徴、および利点については、本開示の例示的な実施形態に関する以下の詳細な説明を読むことにより明らかとなるであろう。
【図面の簡単な説明】
【００３８】
【図１】基地局（たとえば、ｅＮＢ）がユーザ機器（ＵＥ）に提供するさまざまなセルを伴う例示的なＬｏｎｇ−Ｔｅｒｍ  Ｅｖｏｌｕｔｉｏｎ（ＬＴＥ）キャリアアグリゲーション（ＣＡ）シナリオを示した高レベルネットワーク図である。
【図２】ユーザ機器（ＵＥ）および基地局（ｅＮＢ）を伴う種々例示的なＬＴＥデュアルコネクティビティ（ＤＣ）シナリオを示した高レベルネットワーク図である。
【図３】第５世代（５Ｇ）セルラー（たとえば、無線）ネットワークアーキテクチャの高レベル図である。
【図４】ＤＵ−ＣＵ分割およびＣＵ−ＣＰとＣＵ−ＵＰとの間の別途分離に基づく例示的なｇＮＢアーキテクチャを示した図である。
【図５】ＵＥの適当なＳｐＣｅｌｌをｇＮＢ−ＣＵが選択して設定できる例示的な初期ＵＥアクセス手順を示した図である。
【図６】ＵＥの適当なＳｐＣｅｌｌをｇＮＢ−ＣＵが選択して設定できる例示的なｇＮＢ−ＤＵ間モビリティ手順を示した図である。
【図７】本開示の種々例示的な実施形態に係る、ＵＥコンテキスト設定または修正と関連するｇＮＢ−ＣＵとｇＮＢ−ＤＵとの間のシグナリングを示した図である。
【図８】本開示の種々例示的な実施形態に係る、ｇＮＢ−ＣＵからｇＮＢ−ＤＵへの例示的なＦ１−ＡＰメッセージの一部を示した図である。
【図９】本開示の種々例示的な実施形態に係る、ｇＮＢ−ＤＵからｇＮＢ−ＣＵへの例示的なＦ１−ＡＰメッセージの一部を示した図である。
【図１０】本開示の種々例示的な実施形態に係る、基地局の中央ユニット（ＣＵ）またはノード（たとえば、ｇＮＢ−ＣＵ）が実行する例示的な方法および／または手順を示したフロー図である。
【図１１】本開示の種々例示的な実施形態に係る、基地局の分散ユニット（ＤＵ）またはノード（たとえば、ｇＮＢ−ＤＵ）が実行する他の例示的な方法および／または手順を示したフロー図である。
【図１２】本明細書に記載の種々の態様に係る、無線ネットワークの例示的な一実施形態を示す図である。
【図１３】本明細書に記載の種々の態様に係る、ＵＥの例示的な一実施形態を示す図である。
【図１４】本明細書に記載のネットワークノードの種々の実施形態の実装に使用できる例示的な仮想化環境を示すブロック図である。
【図１５】本明細書に記載の一態様に係る、例示的な通信システムおよび／またはネットワークのブロック図である。
【図１６】本明細書に記載の一態様に係る、例示的な通信システムおよび／またはネットワークのブロック図である。
【図１７】本開示の例示的な一実施形態に係る、通信システムにおいて実装される例示的な方法および／または手順を示したフロー図である。
【図１８】本開示の例示的な一実施形態に係る、通信システムにおいて実装される例示的な方法および／または手順を示したフロー図である。
【図１９】本開示の例示的な一実施形態に係る、通信システムにおいて実装される例示的な方法および／または手順を示したフロー図である。
【図２０】本開示の例示的な一実施形態に係る、通信システムにおいて実装される例示的な方法および／または手順を示したフロー図である。
【発明を実施するための形態】
【００３９】
以下、添付の図面を参照することにより、本明細書において考えられる実施形態の一部をより詳しく説明する。ただし、本明細書に開示の主題の範囲内には、他の実施形態も含まれる。この開示の主題は、本明細書に示す実施形態のみに限定されるものと解釈すべきではなく、これらの実施形態は、主題の範囲を当業者に伝えるために一例として与えているに過ぎない。さらに、後述の説明全体を通して、以下の用語を使用する。
無線ノード（Ｒａｄｉｏ  Ｎｏｄｅ）：本明細書において、「無線ノード（ｒａｄｉｏ  ｎｏｄｅ）」としては、「無線アクセスノード（ｒａｄｉｏ  ａｃｃｅｓｓ  ｎｏｄｅ）」または「無線デバイス（ｗｉｒｅｌｅｓｓ  ｄｅｖｉｃｅ）」が可能である。
無線アクセスノード（Ｒａｄｉｏ  Ａｃｃｅｓｓ  Ｎｏｄｅ）：本明細書において、「無線アクセスノード（ｒａｄｉｏ  ａｃｃｅｓｓ  ｎｏｄｅ）」（または、「無線ネットワークノード（ｒａｄｉｏ  ｎｅｔｗｏｒｋ  ｎｏｄｅ）」）としては、信号を無線送信および／または受信するように動作するセルラー通信ネットワークの無線アクセスネットワーク（ＲＡＮ）中の如何なるノードも可能である。無線アクセスノードのいくつかの例としては、基地局（たとえば、３ＧＰＰ第５世代（５Ｇ）新無線（ＮＲ）ネットワーク中のＮＲ基地局（ｇＮＢ）または３ＧＰＰ  ＬＴＥネットワーク中のエンハンストもしくはエボルブドノードＢ（ｅＮＢ））、高電力すなわちマクロ基地局、低電力基地局（たとえば、マイクロ基地局、ピコ基地局、ホームｅＮＢ等）、および中継ノード等が挙げられるが、これらに限定されない。
コアネットワークノード（Ｃｏｒｅ  Ｎｅｔｗｏｒｋ  Ｎｏｄｅ）：本明細書において、「コアネットワークノード（ｃｏｒｅ  ｎｅｔｗｏｒｋ  ｎｏｄｅ）」は、コアネットワーク中の任意の種類のノードである。コアネットワークノードのいくつかの例としては、たとえばモビリティ管理エンティティ（ＭＭＥ）、パケットデータネットワークゲートウェイ（Ｐ−ＧＷ）、サービス能力公開機能（ＳＣＥＦ）等が挙げられる。
無線デバイス（Ｗｉｒｅｌｅｓｓ  Ｄｅｖｉｃｅ）：本明細書において、「無線デバイス（ｗｉｒｅｌｅｓｓ  ｄｅｖｉｃｅ）」は、信号の無線アクセスノードに対する無線送信および／または受信によってセルラー通信ネットワークにアクセス可能（すなわち、セルラー通信ネットワークがサーブする）任意の種類のデバイスである。無線デバイスのいくつかの例としては、３ＧＰＰネットワーク中のＵＥおよびマシンタイプ通信（ＭＴＣ）デバイスが挙げられるが、これらに限定されない。
ネットワークノード（Ｎｅｔｗｏｒｋ  Ｎｏｄｅ）：本明細書において、「ネットワークノード（ｎｅｔｗｏｒｋ  ｎｏｄｅ）」は、無線アクセスネットワークまたはセルラー通信ネットワーク／システムのコアネットワークの一部である任意のノードである。
【００４０】
なお、本明細書の記述は、３ＧＰＰセルラー通信システムに焦点を当てているため、３ＧＰＰの専門用語またはそれに類似する専門用語を頻繁に使用する。ただし、本明細書に開示の概念は、３ＧＰＰシステムに限定されない。さらに、本明細書においては、用語「セル（ｃｅｌｌ）」を使用するが、（特に５Ｇ  ＮＲに関しては）セルの代わりにビームを使用可能であり、このため、本明細書に記載の概念がセルおよびビームの両者に等しく当てはまることが了解されるものとする。
【００４１】
前述の通り、図３および図４に示す５Ｇネットワークアーキテクチャは、ＣＡおよびＤＣのフレームワークを与えるが、分割ＣＵ−ＤＵアーキテクチャにおけるＳｐＣｅｌｌの選択および／または設定と関連付けられたさまざまな問題、障害、および／または課題が存在する。これらの問題について、以下により詳しく論じる。
【００４２】
前述の通り、ＳｐＣｅｌｌは、常に有効化されており、ＵＥによる物理アップリンク制御チャネル（ＰＵＣＣＨ）伝送およびコンテンションベースのランダムアクセスをサポートする。これらの重要なＳｐＣｅｌｌ機能および能力を所与として、ネットワークは、当該ネットワークとの接続を確立する各ＵＥの適当なＳｐＣｅｌｌを選択して設定するのが重要である。この選択は、たとえば各ＵＥにより行われ、ネットワークに与えられる無線測定結果に基づき得る。さらに、ＵＥモビリティおよび／または無線状態の変化により、ネットワークは、接続の継続時間全体にわたって、特定のＵＥの異なるＳｐＣｅｌｌを選択して設定することが必要になることが多い。
【００４３】
５Ｇネットワークに関して、現行のＦ１−ＡＰ仕様（たとえば、３ＧＰＰ  ＴＳ  ３８．４７０およびＴＳ  ３８．４７３）では、ＳｐＣｅｌｌの選択を分割ＣＵ−ＤＵアーキテクチャのｇＮＢ−ＣＵに担わせている。この要件の理由として、ｇＮＢ−ＣＵのみがＵＥから測定結果レポートを受信し、さまざまなセル上の無線リンク品質を把握している点が挙げられる。
【００４４】
図５は、ＵＥの適当なＳｐＣｅｌｌをｇＮＢ−ＣＵが選択して設定する例示的な初期ＵＥアクセス手順を示している。図５において、これらの動作は、説明および理解を容易にするため、数値表記している。言い換えると、これらの動作の順序に関する任意の限定および／または制限が明確に記載されることになるため、これらが図中の数値の順序で暗示されることはないものとする。
【００４５】
動作１において、ＵＥは、ＲＲＣ接続リクエストメッセージをｇＮＢ−ＤＵに送信する。これは、たとえばランダムアクセス（ＲＡ）手順の初期部分が完了した後に発生し得る。動作２において、ｇＮＢ−ＤＵは、ＵＥのサービスを承認可能であるかを判定し、承認した場合は、関連するｇＮＢ−ＣＵに送信するＦ１−ＡＰ初期ＵＬ  ＲＲＣメッセージ伝送メッセージにおいて、ＵＥに対するＲＲＣメッセージおよび対応する下位レイヤ設定を含める。また、初期ＵＬ  ＲＲＣメッセージ伝送メッセージは、ｇＮＢ−ＤＵによりＵＥに割り当てられた一時的識別情報（たとえば、Ｃ−ＲＮＴＩ）を含むことも可能である。なお、ｇＮＢ−ＤＵがＲＲＣメッセージを転送するのは、ｇＮＢ−ＣＵがＵＥとのＲＲＣ（たとえば、ＣＰ）接続を終端させるためである。
【００４６】
動作３において、ＲＲＣ接続リクエストメッセージを受信した後、ｇＮＢ−ＣＵは、ＵＥに対するシグナリング接続ＩＤ（たとえば、ｇＮＢ−ＣＵ  ＵＥ  Ｆ１−ＡＰ  ＩＤ）を割り当て、ＵＥへのＲＲＣ接続設定メッセージを生成する。このＲＲＣメッセージは、ｇＮＢ−ＣＵがｇＮＢ−ＤＵに送信するＦ１−ＡＰ  ＤＬ  ＲＲＣメッセージ伝送メッセージにカプセル化されている。動作４において、ｇＮＢ−ＤＵは、ＲＲＣ接続設定メッセージをカプセル開放してＵＥに送信する。動作５において、ＵＥは、ＲＲＣ接続設定メッセージをと関連付けられた動作を実行し、ＲＲＣ接続設定完了メッセージをｇＮＢ−ＤＵに送信する。動作６において、ｇＮＢ−ＤＵは、ｇＮＢ−ＣＵに送信するＦ１−ＡＰ  ＵＬ  ＲＲＣメッセージ伝送メッセージにこのＲＲＣ接続設定完了メッセージをカプセル化する。
【００４７】
動作７においては、ｇＮＢ−ＣＵが初期ＵＥメッセージ（たとえば、ＵＥと関連付けられたパラメータを含む）をアクセス管理機能（ＡＭＦ）に送信し、これが動作８において、初期ＵＥコンテキスト設定リクエストメッセージにより応答する。動作９において、ｇＮＢ−ＣＵは、Ｆ１−ＡＰ  ＵＥコンテキスト設定リクエストメッセージを送信することにより、ｇＮＢ−ＤＵにおいてＵＥコンテキストを確立する。Ｆ１−ＡＰ  ＵＥコンテキスト設定リクエストメッセージは、ＡＭＦから受信されたさまざまなＵＥパラメータのほか、ｇＮＢ−ＣＵがＵＥに選択したＳｐＣｅｌｌの識別情報を含み得る。
【００４８】
ｇＮＢ−ＤＵは、その負荷状態等の因子に基づいて、ｇＮＢ−ＣＵにより選択されたＳｐＣｅｌｌを承認または拒絶可能である。ｇＮＢ−ＤＵは、選択されたＳｐＣｅｌｌを承認した場合、図５に示すように、Ｆ１−ＡＰ  ＵＥコンテキスト設定応答メッセージにより応答可能である。一方、ｇＮＢ−ＤＵは、選択されたＳｐＣｅｌｌを拒絶した場合、適当な原因値を含むＦ１−ＡＰ  ＵＥコンテキスト設定障害メッセージによって、ｇＮＢ−ＣＵに返信可能である。図７Ａは、拒絶されたＳｐＣｅｌｌ選択に関するｇＮＢ−ＣＵとｇＮＢ−ＤＵとの間の例示的なシグナリングを示している。
【００４９】
図６は、ＵＥの適当なＳｐＣｅｌｌをｇＮＢ−ＣＵが選択して設定する例示的なｇＮＢ−ＤＵ間モビリティ手順を示している。図６において、これらの動作は、説明および理解を容易にするため、数値表記している。言い換えると、これらの動作の順序に関する如何なる限定および／または制限も明確に記載され、これらは図中の数値の順序によって推論すべきではない。
【００５０】
図６において、ｇＮＢ−ＣＵは、２つのｇＮＢ−ＤＵ（起点ｇＮＢ−ＤＵおよび目標ｇＮＢ−ＤＵ）に接続されるものと仮定される。ＵＥは最初、起点ｇＮＢ−ＤＵが提供するＳｐＣｅｌｌを利用する。動作１において、ＵＥは、ＲＲＣ測定結果レポートメッセージを起点ｇＮＢ−ＤＵに送信する。このメッセージは、起点ｇＮＢ−ＤＵが提供するセル（ＵＥのＳｐＣｅｌｌを含む）、目標ｇＮＢ−ＤＵが提供するセル、ならびに／または他のＤＵおよび／もしくはｇＮＢが提供するセル等、ＵＥに近接するさまざまなセルと関連するさまざまな無線信号測定結果を含み得る。
【００５１】
動作２において、起点ｇＮＢ−ＤＵは、Ｆ１−ＡＰ  ＵＬ  ＲＲＣメッセージ伝送メッセージをｇＮＢ−ＣＵに送信することによって、受信したＲＲＣ測定結果レポートを伝達する。なお、ｇＮＢ−ＤＵがＲＲＣメッセージを転送するのは、ｇＮＢ−ＣＵがＵＥとのＲＲＣ（たとえば、ＣＰ）接続を終端させるためである。ただし、ｇＮＢ−ＤＵは、ＵＥから、さまざまな下位レイヤ（たとえば、ＭＡＣ）測定結果も受信可能であり、ｇＮＢ−ＤＵがこれらＵＥとの下位レイヤ接続を終端させるため、対応する下位レイヤ測定結果をｇＮＢ−ＣＵに転送することはない。一般的に、これらの下位レイヤ測定は、ＲＲＣ測定結果レポートが報告する測定よりも高頻度に実行可能であるため、ｇＮＢ−ＤＵは、ｇＮＢ−ＣＵよりもＵＥとの接続を正確および／または直近に見ることができる。
【００５２】
受信した測定結果レポート（および任意選択として、過去に受信した１つまたは複数の測定結果レポートメッセージ）中の測定結果に基づいて、ｇＮＢ−ＣＵは、起点ｇＮＢ−ＤＵから目標ｇＮＢ−ＤＵへのＵＥのモビリティ動作（たとえば、ハンドオーバ）を実行するように決定可能である。これには、たとえばＵＥの新たなＳｐＣｅｌｌとして目標ｇＮＢ−ＤＵが提供するセルの選択を含み得る。
【００５３】
動作３において、ｇＮＢ−ＣＵは、Ｆ１−ＡＰ  ＵＥコンテキスト設定リクエストメッセージを送信することにより、目標ｇＮＢ−ＤＵにおいてＵＥコンテキストを確立する。Ｆ１−ＡＰ  ＵＥコンテキスト設定リクエストメッセージは、ｇＮＢ−ＣＵがＵＥに選択したＳｐＣｅｌｌの識別情報を含むさまざまなＵＥパラメータを含み得る。目標ｇＮＢ−ＤＵは、選択されたＳｐＣｅｌｌを承認した場合、図６に示すように、Ｆ１−ＡＰ  ＵＥコンテキスト設定応答メッセージにより応答可能である。一方、目標ｇＮＢ−ＤＵは、選択されたＳｐＣｅｌｌを拒絶した場合、図７Ａ等に示すように、適当な原因値を含むＦ１−ＡＰ  ＵＥコンテキスト設定障害メッセージによって、ｇＮＢ−ＣＵに返信可能である。
【００５４】
図５および図６に示すシナリオの両者において、適当な原因値を伴うＦ１−ＡＰ  ＵＥコンテキスト設定障害メッセージを受信したら、ｇＮＢ−ＣＵは、異なるＳｐＣｅｌｌを選択して、別のＦ１−ＡＰ  ＵＥコンテキスト設定リクエストメッセージによりｇＮＢ−ＤＵに通知可能である。ただし、ｇＮＢ−ＣＵは、ｇＮＢ−ＤＵにおける負荷に関する詳しい情報を有していないため、ｇＮＢ−ＣＵにより選択された新たなＳｐＣｅｌｌも拒絶されてしまうリスクが存在する。これにより、好適なＳｐＣｅｌｌが選択可能となる前に、多くの障害が発生し得る。
【００５５】
別のシナリオにおいては、図６に示すｇＮＢ−ＤＵ間モビリティ手順に類似のｇＮＢ−ＤＵ内モビリティ手順において、ＳｐＣｅｌｌ選択および設定を使用可能である。このようなシナリオにおいては、図６に示す「目標ｇＮＢ−ＤＵ」および「起点ｇＮＢ−ＤＵ」が単一のｇＮＢ−ＤＵとなる。受信した測定結果レポート（および任意選択として、過去に受信した１つまたは複数の測定結果レポートメッセージ）中の測定結果に基づいて、ｇＮＢ−ＣＵは、ｇＮＢ−ＤＵが提供するセル間のＵＥのモビリティ動作（たとえば、ハンドオーバ）を実行するように決定可能である。これには、たとえばＵＥの新たなＳｐＣｅｌｌとしてｇＮＢ−ＤＵが提供する異なるセルの選択を含み得る。
【００５６】
このような場合、ｇＮＢ−ＣＵは、Ｆ１−ＡＰ  ＵＥコンテキスト修正リクエストメッセージをｇＮＢ−ＤＵに送信する。Ｆ１−ＡＰ  ＵＥコンテキスト修正リクエストメッセージは、ｇＮＢ−ＣＵがＵＥに選択したＳｐＣｅｌｌの識別情報を含むさまざまなＵＥパラメータを含み得る。ｇＮＢ−ＤＵは、修正されたＳｐＣｅｌｌを承認した場合、図７Ｂ等に示すように、Ｆ１−ＡＰ  ＵＥコンテキスト修正応答メッセージにより応答可能である。一方、目標ｇＮＢ−ＤＵは、選択されたＳｐＣｅｌｌを拒絶した場合、図７Ｂ等に示すように、適当な原因値を含むＦ１−ＡＰ  ＵＥコンテキスト修正障害メッセージによって、ｇＮＢ−ＣＵに返信可能である。
【００５７】
図５および図６に示すシナリオと同様に、対応する原因値を伴うＦ１−ＡＰ  ＵＥコンテキスト修正障害メッセージを受信したら、ｇＮＢ−ＣＵは、異なるＳｐＣｅｌｌを選択して、別のＦ１−ＡＰ  ＵＥコンテキスト修正リクエストメッセージによりｇＮＢ−ＤＵに通知可能である。ただし、ｇＮＢ−ＣＵは、ｇＮＢ−ＤＵにおける負荷に関する詳しい情報を有していないため、ｇＮＢ−ＣＵにより選択された新たなＳｐＣｅｌｌも拒絶されてしまうリスクが存在する。これにより、ＤＵ内モビリティ動作中に新たなＳｐＣｅｌｌが選択可能となる前に、多くの障害が発生し得る。
【００５８】
本開示の例示的な実施形態は、対応するｇＮＢ−ＤＵを介してつながるＵＥに対してＣＵが選択した必須および／または好適なＳｐＣｅｌｌの指標および／または識別情報を（たとえば、Ｆ１−ＡＰ  ＵＥコンテキスト設定リクエストメッセージによって）ｇＮＢ−ＣＵがｇＮＢ−ＤＵに提供可能な新規技術により、先行ソリューションの上記および他の課題および／または欠点に対処する。また、ｇＮＢ−ＣＵは、候補ＳｐＣｅｌｌリストを提供可能である。ｇＮＢ−ＤＵは、（たとえば、選択されたＳｐＣｅｌｌでは、特定のＵＥにサーブするのに過負荷またはリソース不足となることから）好適なＳｐＣｅｌｌを承認できない場合、ＵＥに対して設定可能な潜在的ＳｐＣｅｌｌリストを含むメッセージ（たとえば、Ｆ１−ＡＰ  ＵＥコンテキスト設定障害）により応答可能である。潜在的ＳｐＣｅｌｌリスト中のセルとしては、候補ＳｐＣｅｌｌリストに含まれるセルのいずれかが可能である。たとえば、ｇＮＢ−ＤＵにより送信されたメッセージに含まれるＳｐＣｅｌｌのリストは、ｇＮＢ−ＤＵがＵＥにサーブするために承認して十分なリソースを割り当て可能な候補ＳｐＣｅｌｌリストのセルを表し得る。
【００５９】
他の実施形態において、ｇＮＢ−ＣＵは、対応するｇＮＢ−ＤＵを介してつながるＵＥに対してＣＵが選択した必須および／または好適なＳｐＣｅｌｌの指標および／または識別情報を（たとえば、Ｆ１−ＡＰ  ＵＥコンテキスト設定リクエストメッセージによって）ｇＮＢ−ＤＵに提供可能である。また、ｇＮＢ−ＣＵは、キャリアアグリゲーション（ＣＡ）用の候補ＳＣｅｌｌリストを提供可能である。ｇＮＢ−ＤＵは、（たとえば、ＳｐＣｅｌｌでは、特定のＵＥにサーブするのに過負荷またはリソース不足となることから）好適なＳｐＣｅｌｌを承認できない場合、ＵＥに対して設定可能なセルの潜在的ＳｐＣｅｌｌリストを含むメッセージ（たとえば、Ｆ１−ＡＰ  ＵＥコンテキスト設定障害）により応答可能である。潜在的ＳｐＣｅｌｌリストに含まれるセルとしては、候補ＳＣｅｌｌリストに含まれるセルのいずれかが可能である。たとえば、ｇＮＢ−ＤＵにより送信されたメッセージに含まれるＳｐＣｅｌｌのリストは、ｇＮＢ−ＤＵがＵＥにサーブするために承認して十分なリソースを割り当て可能な候補ＳＣｅｌｌリスト内のセルを表し得る。
【００６０】
例示的な実施形態は、選択された１つまたは複数のＳｐＣｅｌｌがｇＮＢ−ＤＵに承認されないためにＵＥコンテキスト設定またはＵＥコンテキスト修正手順が失敗となる可能性を抑えることによって、ネットワークの機能および／または信頼性を向上可能である。また、例示的な実施形態は、ＤＵとＣＵとの間で交換されるメッセージを少なくして承認可能なＳｐＣｅｌｌの選択を容易化し、これによりネットワーク動作を高速化および効率化することによって、所要ＤＵ−ＣＵシグナリング容量を抑える。本明細書の開示に照らして、別の技術的利点も容易に明らかとなり得る。
【００６１】
図８は、本開示の種々例示的な実施形態に係る、ｇＮＢ−ＣＵからｇＮＢ−ＤＵへの例示的なＦ１−ＡＰメッセージの一部を示している。たとえば、図８に示すメッセージ部としては、図５〜図７に示すとともに上述した通り、Ｆ１−ＡＰ  ＵＥコンテキスト設定リクエストメッセージまたはＦ１−ＡＰ  ＵＥコンテキスト修正リクエストメッセージの一部が可能である。言い換えると、図８に示すメッセージフィールドは、必要および／または所望に応じて他のメッセージフィールドと組み合わせることにより、完全なＦ１−ＡＰ  ＵＥコンテキスト設定リクエストメッセージまたはＦ１−ＡＰ  ＵＥコンテキスト修正リクエストメッセージを構成可能である。
【００６２】
図８に示すフィールドには、ＵＥの好適なＳｐＣｅｌｌとしてｇＮＢ−ＣＵにより選択され、ｇＮＢ−ＤＵと関連付けられた特定のセルを指定および／または識別可能なＳｐＣｅｌｌ  ＩＤを含む。たとえば、このパラメータは、選択／好適なセルのセルグローバル識別情報（ＣＧＩ）として表すことができる。また、図８に示すフィールドには、ＵＥのＳｐＣｅｌｌの代替的な（たとえば、承認可能であるが好適ではない）候補としてｇＮＢ−ＣＵが選択し、同じくｇＮＢ−ＤＵと関連付けられたセルに対応する複数の識別子（たとえば、ＣＧＩ）を含み得る候補ＳｐＣｅｌｌリストを含む。これら選択された代替的セルは、候補ＳｐＣｅｌｌリストにおいて、たとえば各セルの無線信号測定結果、各セルの負荷等のさまざまな基準に従って、たとえば（識別された好適なＳｐＣｅｌｌの後の）最も好適なセルから最も好適ではないセルまで、任意の順序で配置可能である。候補ＳｐＣｅｌｌリストには、最大数（たとえば、図８のｍａｘｎｏｏｆＣａｎｄｉｄａｔｅＳｐＣｅｌｌｓ）まで（最大数を含む）の任意数のセルを含み得る。
【００６３】
いくつかの実施形態において、図８に示すような候補ＳｐＣｅｌｌリストの代わりに、メッセージ部は、選択／好適なＳｐＣｅｌｌによるキャリアアグリゲーション（ＣＡ）に対してｇＮＢ−ＣＵが選択したｇＮＢ−ＤＵと関連付けられた候補ＳＣｅｌｌのリストを識別する候補ＳＣｅｌｌリストを含み得る。ただし、これに加えて、候補ＳＣｅｌｌリストを構成するセルもまた、ＵＥのＳｐＣｅｌｌの代替的な（たとえば、承認可能であるが好適ではない）候補である。候補ＳＣｅｌｌリストを構成するセルは、（たとえば、ＣＧＩによって）候補ＳｐＣｅｌｌリストを構成するセルと同様に識別可能である。これら選択された代替的セルは、候補ＳＣｅｌｌリストにおいて、たとえば各セルの無線信号測定結果、各セルの負荷等のさまざまな基準に従って、たとえば（識別された好適なＳｐＣｅｌｌの後の）最も好適なセルから最も好適ではないセルまで、任意の順序で配置可能である。候補ＳＣｅｌｌリストには、最大数（たとえば、ｍａｘｎｏｏｆＣａｎｄｉｄａｔｅＳＣｅｌｌｓ）まで（最大数を含む）の任意数のセルを含み得る。
【００６４】
また、いくつかの実施形態において、図８に示すメッセージ部を含むフィールドには、ＵＥに対する設定が要求された無線ベアラの１つまたは複数のリストを含み得る。これには、シグナリング無線ベアラ（ＳＲＢ）のリストおよび／またはデータ無線ベアラ（ＤＲＢ）のリストを含み得る。各リストを構成する無線ベアラは、ｇＮＢ−ＣＵおよびｇＮＢ−ＤＵの両者が理解する適当な識別子によって識別可能である。いくつかの実施形態においては、各リストを構成する無線ベアラごとに、付加的な特性および／または要件（たとえば、ＱｏＳ）を識別可能である。このようなリストの一方または両方が存在する場合、受信ｇＮＢ−ＤＵでは、選択／好適なＳｐＣｅｌｌのＵＥに対する承認決定において、無線ベアラの特性および／または要件を使用可能であり、承認されない場合は、候補ＳｐＣｅｌｌリスト（または、候補ＳＣｅｌｌリスト）上のその他のセルのいずれかが、承認可能なＵＥ  ＳｐＣｅｌｌの代替物となるかの判定に使用可能である。
【００６５】
ＳｐＣｅｌｌ  ＩＤおよび候補ＳｐＣｅｌｌリスト（または、候補ＳＣｅｌｌリスト）を含むｇＮＢ−ＣＵからのリクエスト（たとえば、Ｆ１−ＡＰ  ＵＥコンテキスト設定リクエスト）の受信に際して、ｇＮＢ−ＤＵは、第１にＳｐＣｅｌｌ  ＩＤにより識別されるセルに関して、第２に受信候補リスト上で識別されるセルに関して必要に応じて、上記の承認決定を実行可能である。これらの承認決定および／または判定の一部または全部には、（たとえば、メッセージ中で識別されるＵＥの無線ベアラに対して）ＵＥが必要とするリソースと、特定のセルにおける利用可能なリソースの量および／または負荷状態との比較を伴い得る。いくつかの実施形態において、これらの承認決定および／または判定の一部または全部には、特定のセルと関連付けられたカバレッジエリアにＵＥが位置付けられているかの判定を伴い得る。
【００６６】
たとえば、ｇＮＢ−ＤＵは、ＵＥにサーブするリソースの欠如および／またはＵＥのカバレッジの欠如のため、ＵＥの好適なＳｐＣｅｌｌ（すなわち、ＳｐＣｅｌｌ  ＩＤにより識別されるセル）をＵＥのＳｐＣｅｌｌとして設定できないという判定を行うことができる。このような場合、ｇＮＢ−ＤＵは、受信リスト中で識別される代替的ＳｐＣｅｌｌ候補のいずれをＵＥのＳｐＣｅｌｌとして設定可能であるか否かを判定することができる。いくつかの実施形態において、これらＳｐＣｅｌｌ候補ごとの判定は、好適なＳｐＣｅｌｌの場合と同様に実行可能である。
【００６７】
これらの判定および／または承認決定の後、ｇＮＢ−ＤＵは、好適なＳｐＣｅｌｌにおいてＵＥを承認できないためにＵＥコンテキスト設定障害を示す応答をｇＮＢ−ＣＵに送信可能である。図９は、本開示の種々例示的な実施形態に係る、ｇＮＢ−ＤＵからｇＮＢ−ＣＵへの例示的なＦ１−ＡＰメッセージの一部を示している。たとえば、図９に示すメッセージ部としては、図７に示すとともに上述した通り、Ｆ１−ＡＰ  ＵＥコンテキスト設定障害メッセージまたはＦ１−ＡＰ  ＵＥコンテキスト修正障害メッセージの一部が可能である。言い換えると、図９に示すメッセージフィールドは、必要および／または所望に応じて他のメッセージフィールドと組み合わせることにより、完全なＦ１−ＡＰ  ＵＥコンテキスト設定障害メッセージまたはＦ１−ＡＰ  ＵＥコンテキスト修正障害メッセージを構成可能である。
【００６８】
図９に示すフィールドには、ｇＮＢ−ＤＵが要求されたＵＥコンテキスト設定または修正を実行できなかった特定の原因または理由を指定および／または識別可能なＣａｕｓｅを含む。Ｃａｕｓｅフィールドには、それぞれの数値が障害の特定の理由と関連付けられた複数の数値のうちの１つを含み得る。たとえば、好適なＳｐＣｅｌｌにおける利用可能なリソースの欠如を示してＵＥの要求を満たすには、特定の数値を使用可能である。同様に、ＵＥが好適なＳｐＣｅｌｌのカバレッジエリアの外側にあることを示すには、異なる数値を使用可能である。
【００６９】
また、図９に示すフィールドには、潜在的ＳｐＣｅｌｌリストを含む。このリストには、ＵＥのＳｐＣｅｌｌとして設定可能のｇＮＢ−ＤＵが判定した候補ＳｐＣｅｌｌリスト（または、候補ＳＣｅｌｌリスト）中の任意のセルの識別子を含み得る。言い換えると、潜在的ＳｐＣｅｌｌリストにおいて識別されたセルは、ＵＥがその要求および各セルの動作状態（たとえば、負荷、容量、カバレッジ等）に従って承認可能なセルである。潜在的ＳｐＣｅｌｌリストのセルは、たとえばＣＧＩによって、候補ＳｐＣｅｌｌリスト（または、候補ＳＣｅｌｌリスト）と同様に識別可能である。
【００７０】
潜在的ＳｐＣｅｌｌリストにおいて識別されたセルは、たとえば各セルの測定結果、各セルの負荷、各セルのＵＥカバレッジ等、各セルのさまざまなｇＮＢ−ＤＵ動作状態に従って、たとえば最も好適なセルから最も好適ではないセルまで、任意の順序で配置可能である。潜在的ＳｐＣｅｌｌリストには、最大数（たとえば、ｍａｘｎｏｏｆＰｏｔｅｎｔｉａｌＳｐＣｅｌｌｓ）まで（最大数を含む）の任意数のセルを含み得るが、これは、候補ＳｐＣｅｌｌリスト（または、候補ＳＣｅｌｌリスト）と関連付けられた最大数以下が可能である。いくつかの実施形態において、代替的候補ＳｐＣｅｌｌがいずれもｇＮＢ−ＤＵに承認されない場合は、潜在的ＳｐＣｅｌｌリストが空になり得る。
【００７１】
潜在的ＳｐＣｅｌｌリストを含むメッセージの受信に際して、ｇＮＢ−ＣＵは、このリストが識別する各セルにおける無線信号状態に関するｇＮＢ−ＣＵ自体の認識に対して、これらのセルを評価することができる。たとえば、これらの無線信号状態は、特定のＵＥを含む１つまたは複数のＵＥからの１つまたは複数のＲＲＣ測定結果レポートメッセージにて受信される測定結果に基づいて、ｇＮＢ−ＣＵにより決定可能である。いくつかの実施形態において、潜在的ＳｐＣｅｌｌリストのセルがｇＮＢ−ＤＵの選好の順序で配置されている場合、ｇＮＢ−ＣＵは、無線信号状態に関する認識に基づいて、ｇＮＢ−ＤＵの最も好適なセルのうちｇＮＢ−ＣＵにも好適なセルを決定することができる。たとえば、ｇＮＢ−ＣＵは、最善、最適、および／または好適な無線信号状態および／または測定結果を伴うセルに対して、潜在的ＳｐＣｅｌｌリストにおいて識別されたセルのいずれかが対応するものと判定することができる。
【００７２】
いずれにしろ、ｇＮＢ−ＣＵは、受信した潜在的ＳｐＣｅｌｌリスト中の順序およびセルの無線信号状態に関する当該ｇＮＢ−ＣＵの認識に基づいて、受信した潜在的ＳｐＣｅｌｌリストから、ＵＥの新しい好適なＳｐＣｅｌｌとしてセルを選択することができる。その後、ｇＮＢ−ＣＵは、上記と同様に新しい好適なＳｐＣｅｌｌを識別する別のメッセージ（たとえば、ＵＥコンテキスト設定リクエスト）をｇＮＢ−ＤＵに送信可能である。ｇＮＢ−ＤＵが承認可能な代替物として過去に示したこの新しい好適なＳｐＣｅｌｌに関する新たなリクエストの受信に際して、ｇＮＢ−ＤＵは、ＵＥを承認するとともに、このセルをＵＥのＳｐＣｅｌｌとして設定することができる。このように、ＵＥに好適なＳｐＣｅｌｌを選択するｇＮＢ−ＣＵとｇＮＢ−ＤＵとの間のシグナリングの反復回数は、従来の技術と比較して、最小化および／または低減される。
【００７３】
いくつかの実施形態において、ｇＮＢ−ＣＵは、複数のｇＮＢ−ＣＵに接続可能である。このような実施形態において、ｇＮＢ−ＣＵは、接続されたｇＮＢ−ＤＵのそれぞれに対して、好適なＳｐＣｅｌｌおよび候補ＳｐＣｅｌｌリスト（または、候補ＳＣｅｌｌリスト）を含むリクエストを送信可能である。言い換えると、各リクエストは、リクエストが対象とする特定のｇＮＢ−ＤＵと関連付けられたセルを識別する。ｇＮＢ−ＣＵは、上記と同様に、１つまたは複数のＵＥからの１つまたは複数のＲＲＣ測定結果レポートメッセージに基づいて、各リクエストに含むセルを選択可能である。これらの実施形態において、ｇＮＢ−ＤＵのいずれもが好適なＳｐＣｅｌｌを承認できず、それぞれが潜在的ＳｐＣｅｌｌリストを返す場合、ｇＮＢ−ＣＵは、これらのリストから新しい好適なＳｐＣｅｌｌを選択するととともに、この新しい好適なＳｐＣｅｌｌと関連付けられた特定のｇＮＢ−ＤＵに対して別のリクエストを送信することができる。
【００７４】
図１０は、本開示の種々例示的な実施形態に係る、ユーザ機器（ＵＥ）にサーブするために基地局の第１の分散ユニット（ＤＵ）が使用するスペシャルセル（ＳｐＣｅｌｌ）を選択する例示的な方法および／または手順を示したフロー図である。図１０に示す例示的な方法および／または手順は、たとえば本明細書の他の図面に関して図示または説明する通り、１つまたは複数の分散ユニット（ＤＵ（たとえば、ｇＮＢ−ＤＵ））と連通した基地局の中央ユニット（たとえば、ｇＮＢ−ＣＵ）によって実装可能である。以下に説明する通り、図１０に示す例示的な方法および／または手順は、図１１（後述）に示す例示的な方法および／または手順との協調的な利用により、本明細書に記載の種々例示的な利益をもたらし得る。図１０は、特定の順序にてブロックを示しているが、この順序は例示に過ぎず、例示的な方法および／または手順の動作を図１０の図示と異なる順序で実行可能であるとともに、組合せおよび／または分割によって、異なる機能を有するブロックにすることも可能である。任意選択としての動作は、図１０において破線で表す。
【００７５】
いくつかの実施形態において、この例示的な方法および／または手順は、ブロック１０１０の動作を含むことができ、この場合、ＣＵは、第１のＤＵおよび場合によっては第２のＤＵを含む１つまたは複数のＤＵと関連付けられた複数のセルに関する無線信号測定結果を受信可能である。これらは、たとえば１つまたは複数のＲＲＣ測定結果レポートメッセージを介して受信可能である。いくつかの実施形態において、この例示的な方法および／または手順は、ブロック１０２０の動作を含むことができ、この場合、ＣＵは、無線信号測定結果に基づいて、複数のセルから、ＵＥの好適なＳｐＣｅｌｌとしての第１のセルおよびＵＥの代替的なＳｐＣｅｌｌとしての１つまたは複数の第２のセルを選択可能である。第１のセルならびに１つもしくは複数の第２のセルはともに、第１のＤＵがサーブ可能である。
【００７６】
また、この例示的な方法および／または手順は、ブロック１０３０の動作を含むことができ、この場合、ＵＥは、ＵＥの好適なＳｐＣｅｌｌとしての第１のセルの識別情報と、１つまたは複数の第２のセルの識別情報とを含む第１のリクエストを第１のＤＵに送信可能である。いくつかの実施形態において、１つまたは複数の第２のセルは、ＵＥの候補ＳｐＣｅｌｌおよびＵＥの候補セカンダリセル（ＳＣｅｌｌ）のうちの一方を含み得る。
【００７７】
また、この例示的な方法および／または手順は、ブロック１０４０の動作を含むことができ、この場合、ＣＵは、第１のＤＵがＵＥのＳｐＣｅｌｌとして第１のセルを設定できないという第１の指標と、第１のＤＵがＵＥのＳｐＣｅｌｌとしてゼロ個以上の第３のセルを設定できるという第２の指標とを含む第１の応答を第１のＤＵから受信可能である。いくつかの実施形態において、第２の指標は、第１のＤＵがＵＥのＳｐＣｅｌｌとして第２のセルのいずれも設定できないという指標と、識別された第３のセルのそれぞれが第２のセルのうちの１つである第３のセルの識別情報とのうちの少なくとも一方を含む。
【００７８】
いくつかの実施形態において、第３のセルの識別情報は、順序付きリストにて受信され、このリストの順序は、第１のＤＵの１つまたは複数の動作状態に基づき得る。いくつかの実施形態において、１つまたは複数の動作状態には、第１のＤＵ負荷状態と、第３のセルのそれぞれと関連付けられた第１のＤＵリソースの可用性と、第３のセルのそれぞれと関連付けられた第１のＤＵカバレッジエリア内のＵＥの場所とのうちのいずれかを含み得る。いくつかの実施形態において、第１の応答は、第１のＤＵがＵＥのＳｐＣｅｌｌとして第１のセルを設定できない理由を示す原因値も含むことができ、この原因値は、第１のＤＵの１つまたは複数の動作状態と関連し得る。
【００７９】
いくつかの実施形態において、第１のリクエストおよび第１の応答は、ＵＥコンテキスト設定リクエストとＵＥコンテキスト設定障害、およびＵＥコンテキスト修正リクエストとＵＥコンテキスト修正障害のメッセージ対のうちの一方を含み得る。
【００８０】
いくつかの実施形態において、この例示的な方法および／または手順は、ブロック１０５０の動作を含むことができ、この場合、ＣＵは、無線信号測定結果に基づいて、第２のＤＵがサーブする別の第１のセルならびに１つもしくは複数の別の第２のセルを選択可能である。また、これらの実施形態は、ブロック１０６０の動作を含むことができ、この場合、ＣＵは、（たとえば、ＵＥの好適なＳｐＣｅｌｌとしての）別の第１のセルの識別情報および別の第２のセルの識別情報を含む第２のリクエストを第２のＤＵに送信可能である。
【００８１】
また、これらの実施形態は、ブロック１０７０の動作を含むことができ、この場合、ＣＵは、第２のＤＵがＵＥのＳｐＣｅｌｌとして別の第１のセルを設定できないという別の第１の指標と、第２のＤＵがＵＥのＳｐＣｅｌｌとしてゼロ個以上の別の第３のセルを設定できるという別の第２の指標とを含む第２の応答を第２のＤＵから受信可能である。いくつかの実施形態において、別の第２の指標は、第２のＤＵがＵＥのＳｐＣｅｌｌとして別の第２のセルのいずれも設定できないという指標と、識別された別の第３のセルのそれぞれが別の第２のセルのうちの１つである別の第３のセルの識別情報とのうちの少なくとも一方を含む。
【００８２】
いくつかの実施形態において、この例示的な方法および／または手順は、ブロック１０８０の動作を含むことができ、この場合、ＣＵは、（たとえば、動作１０４０において第１の応答の一部として受信された）識別した第３のセルからＵＥのＳｐＣｅｌｌを選択可能である。いくつかの実施形態において、第３のセルからＵＥのＳｐＣｅｌｌを選択することは、リストの順序および受信した無線信号測定結果に基づき得る。第２のＤＵに関する動作（すなわち、ブロック１０５０〜１０７０）を含むいくつかの実施形態において、ブロック１０８０における選択は、第１のＤＵからの第１の応答により識別される第３のセルおよび第２のＤＵからの第２の応答により識別される別の第３のセルの組合せから行うことができる。
【００８３】
いくつかの実施形態において、この例示的な方法および／または手順は、ブロック１０９０の動作を含むことができ、この場合、ＣＵは、ブロック１０８０の動作において選択されたＳｐＣｅｌｌの識別情報を含む第３のリクエストを第１および第２のＤＵのうちの一方に送信可能である。たとえば、この第３のリクエストとしては、上述の第１および第２のリクエストと同様に、ＵＥコンテキスト設定リクエストまたはＵＥコンテキスト修正リクエストが可能である。
【００８４】
図１１は、本開示の種々例示的な実施形態に係る、ユーザ機器（ＵＥ）にサーブするために使用されるスペシャルセル（ＳｐＣｅｌｌ）を選択する例示的な方法および／または手順を示したフロー図である。図１１に示す例示的な方法および／または手順は、たとえば本明細書の他の図面に関して図示または説明する通り、基地局の中央ユニット（ＣＵ）に接続された基地局の分散ユニット（ＤＵ）（たとえば、ｇＮＢ−ＤＵ）によって実装可能である。さらに、図１１に示す例示的な方法および／または手順は、図１０（上述）に示す例示的な方法および／または手順との協調的な利用により、本明細書に記載の種々例示的な利益をもたらし得る。図１１は、特定の順序にてブロックを示しているが、この順序は例示に過ぎず、例示的な方法および／または手順の動作を図１１の図示と異なる順序で実行可能であるとともに、組合せおよび／または分割によって、異なる機能を有するブロックにすることも可能である。任意選択としての動作は、図１１において破線で表す。
【００８５】
この例示的な方法および／または手順は、ブロック１１１０の動作を含むことができ、この場合、ＤＵは、当該ＤＵがサーブするＵＥの好適なＳｐＣｅｌｌとしての第１のセルの識別情報と、ＤＵがサーブする１つまたは複数の第２のセルの識別情報とを含む第１のリクエストをＣＵから受信可能である。いくつかの実施形態において、１つまたは複数の第２のセルは、ＵＥの候補ＳｐＣｅｌｌおよびＵＥの候補セカンダリセル（ＳＣｅｌｌ）のうちの一方を含み得る。
【００８６】
また、この例示的な方法および／または手順は、ブロック１１２０の動作を含むことができ、この場合、ＤＵは、ＵＥのＳｐＣｅｌｌとして第１のセルおよび第２のセルのいずれかを設定可能であるかを判定可能である。いくつかの実施形態において、ＤＵは、ＤＵ負荷状態と、第３のセルのそれぞれと関連付けられたＤＵリソースの可用性と、第３のセルのそれぞれと関連付けられたＤＵカバレッジエリア内のＵＥの場所とのうちの１つまたは複数を含み得る１つまたは複数のＤＵ動作状態に基づいて、上記決定を行うことができる。
【００８７】
いくつかの実施形態において、第１のリクエストは、ＵＥと関連付けられ、ＳｐＣｅｌｌがサーブする１つまたは複数の無線ベアラの識別情報も含み得る。このような実施形態において、ブロック１１２０の動作には、サブブロック１１２２の動作を含むことができ、この場合、ＤＵは、第１のセルおよび第２のセルに関して無線ベアラのアドミッション制御を実行可能である。
【００８８】
また、この例示的な方法および／または手順は、ブロック１１３０の動作を含むことができ、この場合、ＤＵは、ＤＵがＵＥのＳｐＣｅｌｌとして第１のセルを設定できないという第１の指標と、ＤＵがＵＥのＳｐＣｅｌｌとしてゼロ個以上の第３のセルを設定できるという第２の指標とを含む第１の応答をＣＵに送信可能である。いくつかの実施形態において、第２の指標は、ＤＵがＵＥのＳｐＣｅｌｌとして第２のセルのいずれも設定できないという指標と、識別された第３のセルのそれぞれが第２のセルのうちの１つである第３のセルの識別情報とのうちの少なくとも一方を含む。
【００８９】
いくつかの実施形態において、第３のセルの識別情報は、順序付きリストにて送信され、このリストの順序は、上述のＤＵの１つまたは複数の動作状態に基づき得る。いくつかの実施形態において、第１の応答は、第１のＤＵがＵＥのＳｐＣｅｌｌとして第１のセルを設定できない理由を示す原因値も含むことができ、この原因値は、上述のＤＵの１つまたは複数の動作状態と関連し得る。
【００９０】
いくつかの実施形態において、第１のリクエストおよび第１の応答は、ＵＥコンテキスト設定リクエストとＵＥコンテキスト設定障害、およびＵＥコンテキスト修正リクエストとＵＥコンテキスト修正障害のメッセージ対のうちの一方を含み得る。
【００９１】
また、いくつかの実施形態において、この例示的な方法および／または手順は、ブロック１１４０の動作を含むことができ、この場合、ＤＵは、ＣＵから、ＵＥの好適なＳｐＣｅｌｌとして第３のセルのうちの１つの識別情報を含む第２のリクエストを受信可能である。たとえば、第３のリクエストとしては、ＵＥコンテキスト設定リクエストまたはＵＥコンテキスト修正リクエストが可能である。
【００９２】
本明細書に記載の主題は、任意好適な構成要素を用いた任意適当な種類のシステムにおいて実装可能であるものの、本明細書に開示の実施形態は、図１２に示す例示的な無線ネットワーク等の無線ネットワークに関して説明する。簡素化のため、図１２の無線ネットワークは、ネットワーク１２０６、ネットワークノード１２６０および１２６０ｂ、ならびにＷＤ１２１０、１２１０ｂ、および１２１０ｃしか示していない。実際のところ、無線ネットワークは、固定電話、サービスプロバイダ、またはその他任意のネットワークノードもしくはエンドデバイス等、無線デバイス間または無線デバイスと別の通信デバイスとの間の通信をサポートするのに適した任意の付加的な要素をさらに含み得る。図示の構成要素のうち、ネットワークノード１２６０および無線デバイス（ＷＤ）１２１０について、さらに詳しく説明する。無線ネットワークは、通信および他種のサービスを１つまたは複数の無線デバイスに提供することにより、無線ネットワークにより提供されるサービスまたは無線ネットワークを介して提供されるサービスの無線デバイスによるアクセスおよび／または使用を容易化可能である。
【００９３】
無線ネットワークは、任意の種類の通信、遠隔通信、データ、セルラー、ならびに／または無線ネットワークもしくは他の同種のシステムの包含および／またはこれらとの連動が可能である。いくつかの実施形態において、無線ネットワークは、特定の規格または他種の所定のルールもしくは手順に従って動作するように設定可能である。したがって、無線ネットワークの特定の実施形態は、モバイル通信用グローバルシステム（ＧＳＭ）、ユニバーサル移動体通信システム（ＵＭＴＳ）、ロングタームエボリューション（ＬＴＥ）、ならびに／または他の好適な２Ｇ、３Ｇ、４Ｇ、もしくは５Ｇ規格等の通信規格、ＩＥＥＥ８０２．１１規格等の無線ローカルエリアネットワーク（ＷＬＡＮ）規格、ならびに／またはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、Ｂｌｕｅｔｏｏｔｈ、Ｚ−Ｗａｖｅ、および／もしくはＺｉｇＢｅｅ規格等、その他任意適当な無線通信規格を実装し得る。
【００９４】
ネットワーク１２０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にする他のネットワークを備え得る。
【００９５】
ネットワークノード１２６０およびＷＤ１２１０は、以下により詳しく説明するさまざまな構成要素を備える。これらの構成要素は、無線ネットワークにおける無線接続の提供等、ネットワークノードおよび／または無線デバイスの機能を与えるために協働し得る。異なる実施形態において、無線ネットワークは、任意の数の有線もしくは無線ネットワーク、ネットワークノード、基地局、コントローラ、無線デバイス、中継局、ならびに／または有線もしくは無線接続のいずれかに関わらず、データおよび／もしくは信号の通信の容易化もしくは通信への関与が可能なその他任意の構成要素もしくはシステムを備え得る。
【００９６】
本明細書において使用される場合、「ネットワークノード」は、無線デバイスならびに／または当該無線デバイスへの無線アクセスを有効化および／もしくは提供する無線ネットワーク中の他の機器との直接的もしくは間接的な通信ならびに／または無線ネットワーク中の他の機能（たとえば、管理）の実行の可能化、設定、構成、ならびに／または動作可能化のための機器を表す。ネットワークノードの例としては、アクセスポイント（ＡＰ）（たとえば、無線アクセスポイント）、基地局（ＢＳ）（たとえば、無線基地局、ノードＢ、エボルブドノードＢ（ｅＮＢ）、およびＮＲノードＢ（ｇＮＢ））が挙げられるが、これらに限定されない。基地局は、当該基地局が与えるカバレッジの量（または、言い方を変えれば、基地局の送信電力レベル）に基づいて分類可能であり、その場合は、フェムト基地局、ピコ基地局、マイクロ基地局、またはマクロ基地局とも称し得る。基地局としては、中継を制御する中継ノードまたは中継ドナーノードが可能である。ネットワークノードには、場合によりリモート無線ヘッド（ＲＲＨ）と称する集中型デジタルユニットおよび／またはリモートラジオユニット（ＲＲＵ）等の分散型無線基地局の１つまたは複数（またはすべて）の部分も含み得る。このようなリモートラジオユニットは、アンテナ統合無線機としてアンテナと統合されていてもよいし、統合されていなくてもよい。分散型無線基地局の部分は、分散型アンテナシステム（ＤＡＳ）において、ノードとも称し得る。
【００９７】
ネットワークノードのさらに別の例としては、マルチスタンダード無線（ＭＳＲ）ＢＳ等のＭＳＲ無線デバイス、無線ネットワークコントローラ（ＲＮＣ）もしくは基地局コントローラ（ＢＳＣ）等のネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、ならびに／またはＭＤＴが挙げられる。別の例として、ネットワークノードとしては、以下により詳しく説明するような仮想ネットワークノードが可能である。ただし、より一般的には、無線デバイスに対する無線通信ネットワークへのアクセスの有効化および／もしくは提供または無線通信ネットワークにアクセスした無線デバイスへのサービスの提供の可能化、設定、構成、ならびに／または動作可能化のための任意好適なデバイス（または、デバイス群）をネットワークノードが表し得る。
【００９８】
図１２において、ネットワークノード１２６０は、処理回路１２７０、デバイス可読媒体１２８０、インターフェース１２９０、補助機器１２８４、電源１２８６、電力回路１２８７、およびアンテナ１２６２を具備する。図１２の例示的な無線ネットワークに示すネットワークノード１２６０は、図示のハードウェア構成要素の組合せを含むデバイスを表し得るものの、他の実施形態には、構成要素の異なる組合せを有するネットワークノードを含み得る。本明細書に開示のタスク、特徴、機能、ならびに方法および／もしくは手順の実行に必要なハードウェアおよび／またはソフトウェアの任意好適な組合せをネットワークノードが含むことが了解されるものとする。さらに、ネットワークノード１２６０の各構成要素は、大きなボックス内に位置付けられた単一のボックスまたは複数のボックス内に入れ子とされた単一のボックスとして示しているが、ネットワークノードは、単一の図示構成要素を構成する複数の異なる物理的構成要素を含み得る（たとえば、デバイス可読媒体１２８０は、複数の別個のハードドライブのほか、複数のＲＡＭモジュールを備え得る）。
【００９９】
同様に、ネットワークノード１２６０は、それぞれがそれ自体の構成要素を有し得る複数の物理的に別個の構成要素（たとえば、ノードＢ構成要素およびＲＮＣ構成要素またはＢＴＳ構成要素およびＢＳＣ構成要素等）で構成可能である。ネットワークノード１２６０が複数の別個の構成要素（たとえば、ＢＴＳおよびＢＳＣ構成要素）を備える特定のシナリオにおいては、これら別個の構成要素のうちの１つまたは複数を複数のネットワークノード間で共有可能である。たとえば、単一のＲＮＣが複数のノードＢを制御可能である。このようなシナリオにおいて、各一意のノードＢ・ＲＮＣ対は、場合により単一の別個のネットワークノードと考えられる。いくつかの実施形態において、ネットワークノード１２６０は、複数の無線アクセス技術（ＲＡＴ）をサポートするように設定可能である。このような実施形態においては、一部の構成要素を複製可能である（たとえば、異なるＲＡＴに対する別個のデバイス可読媒体１２８０）とともに、一部の構成要素を再利用可能である（たとえば、ＲＡＴにより同じアンテナ１２６２を共有可能である）。また、ネットワークノード１２６０は、たとえばＧＳＭ、ＷＣＤＭＡ、ＬＴＥ、ＮＲ、Ｗｉ−Ｆｉ、またはＢｌｕｅｔｏｏｔｈ無線技術等、当該ネットワークノード１２６０に組み込まれたさまざまな無線技術に対して、複数組のさまざまな図示構成要素を含み得る。これらの無線技術は、ネットワークノード１２６０内の同一もしくは異種チップもしくはチップセットならびに他の構成要素に組み込み可能である。
【０１００】
処理回路１２７０は、ネットワークノードが提供するものとして、本明細書に記載の任意の決定、計算、または類似動作（たとえば、特定の取得動作）を実行するように設定可能である。処理回路１２７０が実行するこれらの動作には、たとえば処理回路１２７０が取得した情報を他の情報に変換すること、ネットワークノードに格納された情報に対して取得情報もしくは変換情報を比較すること、ならびに／または取得情報もしくは変換情報に基づいて１つもしくは複数の動作を実行することにより取得情報を処理することと、前記処理の結果として決定を下すこととを含み得る。
【０１０１】
処理回路１２７０は、単独またはデバイス可読媒体１２８０等の他のネットワークノード１２６０構成要素との協働でネットワークノード１２６０の機能を与えるように動作可能なマイクロプロセッサ、コントローラ、マイクロコントローラ、中央演算処理装置、デジタル信号プロセッサ、特定用途向け集積回路、フィールドプログラマブルゲートアレイ、あるいはその他任意の好適なコンピューティングデバイス、リソース、またはハードウェア、ソフトウェア、および／もしくは符号化ロジックの組合せのうちの１つまたは複数の組合せを含み得る。たとえば、処理回路１２７０は、デバイス可読媒体１２８０または処理回路１２７０内のメモリに格納された命令を実行し得る。このような機能は、本明細書に記載のさまざまな無線特徴、機能、または利益のいずれかを提供することを含み得る。いくつかの実施形態において、処理回路１２７０は、システム・オン・チップ（ＳＯＣ）を含み得る。
【０１０２】
いくつかの実施形態において、処理回路１２７０は、無線周波数（ＲＦ）トランシーバ回路１２７２およびベースバンド処理回路１２７４のうちの１つまたは複数を含み得る。いくつかの実施形態において、無線周波数（ＲＦ）トランシーバ回路１２７２およびベースバンド処理回路１２７４は、別個のチップ（もしくは、チップセット）、ボード、または無線ユニットおよびデジタルユニット等のユニット上とすることができる。代替実施形態においては、ＲＦトランシーバ回路１２７２およびベースバンド処理回路１２７４の一部または全部を同じチップもしくはチップセット、ボード、またはユニット上とすることができる。
【０１０３】
特定の実施形態においては、デバイス可読媒体１２８０または処理回路１２７０内のメモリに格納された命令を実行する処理回路１２７０により、ネットワークノード、基地局、ｅＮＢ、またはこのような他のネットワークデバイスが与えるものとして本明細書に記載の機能の一部または全部が実行され得る。代替実施形態においては、別個または個別のデバイス可読媒体に格納された命令を配線接続された様態等で実行することなく、機能の一部または全部が処理回路１２７０により提供され得る。これら実施形態のいずれにおいても、デバイス可読媒体に格納された命令を実行するか否かに関わらず、処理回路１２７０は、上記機能を実行するように設定可能である。このような機能によりもたらされる利益は、処理回路１２７０単独またはネットワークノード１２６０の他の構成要素に限定されず、全体としてのネットワークノード１２６０ならびに／または一般としてのエンドユーザおよび無線ネットワークにより享受される。
【０１０４】
デバイス可読媒体１２８０には、任意の形態の揮発性または不揮発性コンピュータ可読メモリを含むことができ、永続記憶装置、固体メモリ、遠隔搭載メモリ、磁気媒体、光媒体、ランダムアクセスメモリ（ＲＡＭ）、リードオンリーメモリ（ＲＯＭ）、大容量記憶媒体（たとえば、ハードディスク）、リムーバブル記憶媒体（たとえば、フラッシュドライブ、コンパクトディスク（ＣＤ）、もしくはデジタルビデオディスク（ＤＶＤ））、ならびに／または処理回路１２７０により使用可能な情報、データ、および／もしくは命令を格納するその他任意の揮発性もしくは不揮発性の持続性デバイス可読および／もしくはコンピュータ実行可能メモリデバイスが挙げられるが、これらに限定されない。デバイス可読媒体１２８０は、コンピュータプログラム、ソフトウェア、ロジック、ルール、コード、テーブル等のうちの１つもしくは複数を含むアプリケーション、ならびに／または処理回路１２７０による実行およびネットワークノード１２６０による利用が可能な他の命令等、任意好適な命令、データ、または情報を格納し得る。デバイス可読媒体１２８０は、処理回路１２７０による任意の計算および／またはインターフェース１２９０を介して受信される任意のデータの格納に使用可能である。いくつかの実施形態において、処理回路１２７０およびデバイス可読媒体１２８０は、統合が考えられる。
【０１０５】
インターフェース１２９０は、ネットワークノード１２６０、ネットワーク１２０６、および／またはＷＤ１２１０間のシグナリングおよび／またはデータの有線または無線通信において使用される。図示のように、インターフェース１２９０は、たとえば有線接続を介したネットワーク１２０６へのデータ送信およびネットワーク１２０６からのデータ受信のためのポート／端子１２９４を備える。また、インターフェース１２９０は無線フロントエンド回路１２９２を含むが、これは、アンテナ１２６２に結合することも可能であるし、特定の実施形態においては、アンテナ１２６２の一部とすることも可能である。無線フロントエンド回路１２９２は、フィルタ１２９８および増幅器１２９６を備える。無線フロントエンド回路１２９２は、アンテナ１２６２および処理回路１２７０に接続可能である。無線フロントエンド回路は、アンテナ１２６２と処理回路１２７０との間で伝達される信号を調節するように設定可能である。無線フロントエンド回路１２９２は、無線接続を介して他のネットワークノードまたはＷＤに送り出されるデジタルデータを受信可能である。無線フロントエンド回路１２９２は、フィルタ１２９８および／または増幅器１２９６の組合せによって、適当なチャネルおよび帯域幅パラメータを有する無線信号へとデジタルデータを変換可能である。その後、アンテナ１２６２を介して、無線信号を送信可能である。同様に、データの受信時には、アンテナ１２６２が無線信号を収集した後、無線フロントエンド回路１２９２がこれをデジタルデータに変換可能である。デジタルデータは、処理回路１２７０に受け渡し可能である。他の実施形態において、インターフェースは、異なる構成要素および／または異なる組合せの構成要素を備え得る。
【０１０６】
特定の代替実施形態においては、ネットワークノード１２６０が別個の無線フロントエンド回路１２９２を含んでいなくてもよく、代わりに、処理回路１２７０が無線フロントエンド回路を含み、別個の無線フロントエンド回路１２９２なしでアンテナ１２６２に接続され得る。同様に、いくつかの実施形態においては、ＲＦトランシーバ回路１２７２の全部または一部がインターフェース１２９０の一部と考えられる。さらに他の実施形態において、インターフェース１２９０は、無線ユニット（図示せず）の一部として、１つもしくは複数のポートもしくは端子１２９４、無線フロントエンド回路１２９２、ならびにＲＦトランシーバ回路１２７２を具備し得るとともに、デジタルユニット（図示せず）の一部であるベースバンド処理回路１２７４と通信可能である。
【０１０７】
アンテナ１２６２は、無線信号を送信および／または受信するように構成された１つまたは複数のアンテナまたはアンテナアレイを含み得る。アンテナ１２６２は、無線フロントエンド回路１２９０に結合可能であるとともに、データおよび／または信号を無線で送信および受信可能な如何なる種類のアンテナも可能である。いくつかの実施形態において、アンテナ１２６２は、たとえば２ＧＨｚと６６ＧＨｚとの間の無線信号を送信／受信するように動作可能な１つまたは複数の無指向性セクタまたはパネルアンテナを備え得る。無指向性アンテナは、任意の方向に無線信号を送信／受信するのに使用され得る。セクタアンテナは、特定のエリア内の機器から無線信号を送信／受信するのに使用され得る。パネルアンテナとしては、比較的直線状に無線信号を送信／受信するのに使用される見通し線アンテナが可能である。場合により、２つ以上のアンテナの使用は、ＭＩＭＯと称し得る。特定の実施形態において、アンテナ１２６２は、ネットワークノード１２６０から分離可能であるとともに、インターフェースまたはポートを通じてネットワークノード１２６０に接続可能となり得る。
【０１０８】
アンテナ１２６２、インターフェース１２９０、および／または処理回路１２７０は、ネットワークノードが実行するものとして、本明細書に記載の任意の受信動作および／または特定の取得動作を実行するように設定可能である。如何なる情報、データ、および／または信号も、無線デバイス、別のネットワークノード、および／またはその他任意のネットワーク機器から受信可能である。同様に、アンテナ１２６２、インターフェース１２９０、および／または処理回路１２７０は、ネットワークノードが実行するものとして、本明細書に記載の任意の送信動作を実行するように設定可能である。如何なる情報、データ、および／または信号も、無線デバイス、別のネットワークノード、および／またはその他任意のネットワーク機器に送信可能である。
【０１０９】
電力回路１２８７は、電力管理回路を備えることも可能であるし、電力管理回路に結合することも可能であり、本明細書に記載の機能を実行するための電力をネットワークノード１２６０の構成要素に供給するように設定可能である。電力回路１２８７は、電源１２８６から電力を受電可能である。電源１２８６および／または電力回路１２８７は、ネットワークノード１２６０のさまざまな構成要素に対して、各構成要素に適した形態で（たとえば、各構成要素に必要な電圧および電流レベルで）電力を提供するように設定可能である。電源１２８６は、電力回路１２８７および／またはネットワークノード１２６０に含むことも可能であるし、電力回路１２８７および／またはネットワークノード１２６０の外部でも可能である。たとえば、ネットワークノード１２６０は、電気ケーブル等の入力回路またはインターフェースを介して外部電源（たとえば、コンセント）に接続可能とすることにより、当該外部電源が電力を電力回路１２８７に供給可能となる。別の例として、電源１２８６は、電力回路１２８７に接続または内蔵されたバッテリまたはバッテリパックの形態の電力源を備え得る。バッテリは、外部電源が故障した場合のバックアップ電力を提供可能である。光起電デバイス等の他種の電源も使用可能である。
【０１１０】
ネットワークノード１２６０の代替実施形態は、本明細書に記載の任意の機能および／または本明細書に記載の主題のサポートに必要な任意の機能を含めて、ネットワークノードの機能の特定の態様の提供を担い得る、図１２に示した構成要素以外の付加的な構成要素を含み得る。たとえば、ネットワークノード１２６０は、情報のネットワークノード１２６０への入力を許可および／または容易化するとともに、情報のネットワークノード１２６０からの出力を許可および／または容易化するユーザインターフェース機器を具備し得る。これにより、ユーザは、ネットワークノード１２６０の診断、保守、修繕、および他の管理機能の実行が許可および／または容易化され得る。
【０１１１】
本明細書おいて、「無線デバイス（ＷＤ）」は、ネットワークノードおよび／または別の無線デバイスとの無線通信が可能な、設定された、構成された、ならびに／または動作可能なデバイスを指す。本明細書においては、別段の注記のない限り、ＷＤという用語は、ユーザ機器（ＵＥ）と互換的に使用可能である。無線で通信することには、空中で情報を伝達するのに適した電磁波、電波、赤外線波、および／または他種の信号を使用して無線信号を送信および／または受信することを伴い得る。いくつかの実施形態において、ＷＤは、直接的な人間の相互作用なく、情報を送信および／または受信するように設定可能である。たとえば、ＷＤは、内部もしくは外部イベントによるトリガまたはネットワークからの要求を受けた場合に、所定のスケジュールでネットワークに情報を送信するように設計可能である。ＷＤの例としては、スマートフォン、移動式電話、携帯電話、ボイスオーバＩＰ（ＶｏＩＰ）電話、無線ローカルループフォン、デスクトップコンピュータ、個人用デジタル補助装置（ＰＤＡ）、無線カメラ、ゲームコンソールまたはデバイス、楽曲記憶装置、再生装置、ウェアラブル端末デバイス、無線エンドポイント、移動局、タブレット、ラップトップ、ラップトップ埋込み機器（ＬＥＥ）、ラップトップ搭載機器（ＬＭＥ）、スマートデバイス、無線顧客構内機器（ＣＰＥ）、車載無線端末デバイス等が挙げられるが、これらに限定されない。
【０１１２】
ＷＤは、たとえばサイドリンク通信、車両−車両間（Ｖ２Ｖ）、車両−インフラ間（Ｖ２Ｉ）、車両−任意間（Ｖ２Ｘ）のための３ＧＰＰ規格を実装することによって、デバイス間（Ｄ２Ｄ）通信をサポート可能であり、この場合はＤ２Ｄ通信デバイスと称し得る。さらに別の特定例として、インターネット・オブ・シングス（ＩｏＴ）のシナリオでは、ＷＤが監視および／または測定を実行し、そのような監視および／または測定の結果を別のＷＤおよび／またはネットワークノードに送信するマシンまたは他のデバイスを表し得る。この場合、無線デバイスは、マシン−マシン間（Ｍ２Ｍ）デバイスであってもよく、３ＧＰＰの背景においてＭＴＣデバイスと称し得る。１つの特定例として、ＷＤとしては、３ＧＰＰ狭帯域インターネット・オブ・シングス（ＮＢ−ＩｏＴ）規格を実装したＵＥが可能である。このようなマシンまたはデバイスの特定例は、センサ、電力計等の計量デバイス、産業用機械類、または家庭用もしくは個人用電気器具（たとえば、冷蔵庫、テレビ等）、個人用ウェアラブル（たとえば、時計、フィットネストラッカ等）である。他のシナリオでは、動作ステータスまたは動作と関連付けられた他の機能を監視および／または報告し得る車両等の機器をＷＤが表し得る。上述のＷＤは、無線接続のエンドポイントを表していてもよく、この場合は無線端末と称し得る。さらに、上述のＷＤはモバイルも可能であり、この場合はモバイルデバイスまたはモバイル端末とも称し得る。
【０１１３】
図示のように、無線デバイス１２１０は、アンテナ１２１１、インターフェース１２１４、処理回路１２２０、デバイス可読媒体１２３０、ユーザインターフェース機器１２３２、補助機器１２３４、電源１２３６、および電力回路１２３７を具備する。ＷＤ１２１０は、少し挙げるだけでも、たとえばＧＳＭ、ＷＣＤＭＡ、ＬＴＥ、ＮＲ、Ｗｉ−Ｆｉ、ＷｉＭａｘ、またはＢｌｕｅｔｏｏｔｈ無線技術等、当該ＷＤ１２１０がサポートするさまざまな無線技術に対して、複数組の１つまたは複数の図示構成要素を含み得る。これらの無線技術は、ＷＤ１２１０内の他の構成要素と同一または異種チップまたはチップセットに組み込み可能である。
【０１１４】
アンテナ１２１１は、無線信号を送信および／または受信するように構成された１つまたは複数のアンテナまたはアンテナアレイを含むことができ、インターフェース１２１４に接続されている。特定の代替実施形態において、アンテナ１２１１は、ＷＤ１２１０から分離可能であるとともに、インターフェースまたはポートを通じてＷＤ１２１０に接続可能となり得る。アンテナ１２１１、インターフェース１２１４、および／または処理回路１２２０は、ＷＤが実行するものとして、本明細書に記載の任意の受信または送信動作を実行するように設定可能である。如何なる情報、データ、および／または信号も、ネットワークノードおよび／または別のＷＤから受信可能である。いくつかの実施形態においては、無線フロントエンド回路および／またはアンテナ１２１１がインターフェースと考えられる。
【０１１５】
図示のように、インターフェース１２１４は、無線フロントエンド回路１２１２およびアンテナ１２１１を備える。無線フロントエンド回路１２１２は、１つもしくは複数のフィルタ１２１８ならびに増幅器１２１６を備える。無線フロントエンド回路１２１４は、アンテナ１２１１および処理回路１２２０に接続され、アンテナ１２１１と処理回路１２２０との間で伝達される信号を調節するように設定可能である。無線フロントエンド回路１２１２は、アンテナ１２１１に結合することも可能であるし、アンテナ１２１１の一部とすることも可能である。いくつかの実施形態においては、ＷＤ１２１０が別個の無線フロントエンド回路１２１２を含んでいなくてもよく、代わりに、処理回路１２２０が無線フロントエンド回路を含み、アンテナ１２１１に接続され得る。同様に、いくつかの実施形態においては、ＲＦトランシーバ回路１２２２の一部または全部がインターフェース１２１４の一部と考えられる。無線フロントエンド回路１２１２は、無線接続を介して他のネットワークノードまたはＷＤに送り出されるデジタルデータを受信可能である。無線フロントエンド回路１２１２は、フィルタ１２１８および／または増幅器１２１６の組合せによって、適当なチャネルおよび帯域幅パラメータを有する無線信号へとデジタルデータを変換可能である。その後、アンテナ１２１１を介して、無線信号を送信可能である。同様に、データの受信時には、アンテナ１２１１が無線信号を収集した後、無線フロントエンド回路１２１２がこれをデジタルデータに変換可能である。デジタルデータは、処理回路１２２０に受け渡し可能である。他の実施形態において、インターフェースは、異なる構成要素および／または異なる組合せの構成要素を備え得る。
【０１１６】
処理回路１２２０は、単独またはデバイス可読媒体１２３０等の他のＷＤ１２１０構成要素との協働でＷＤ１２１０の機能を与えるように動作可能なマイクロプロセッサ、コントローラ、マイクロコントローラ、中央演算処理装置、デジタル信号プロセッサ、特定用途向け集積回路、フィールドプログラマブルゲートアレイ、あるいはその他任意の好適なコンピューティングデバイス、リソース、またはハードウェア、ソフトウェア、および／もしくは符号化ロジックの組合せのうちの１つまたは複数の組合せを含み得る。このような機能は、本明細書に記載のさまざまな無線特徴または利益のいずれかを提供することを含み得る。たとえば、処理回路１２２０は、デバイス可読媒体１２３０または処理回路１２２０内のメモリに格納された命令を実行することによって、本明細書に開示の機能を提供可能である。
【０１１７】
図示のように、処理回路１２２０は、ＲＦトランシーバ回路１２２２、ベースバンド処理回路１２２４、およびアプリケーション処理回路１２２６のうちの１つまたは複数を含む。他の実施形態において、処理回路は、異なる構成要素および／または異なる組合せの構成要素を備え得る。特定の実施形態において、ＷＤ１２１０の処理回路１２２０は、ＳＯＣを含み得る。いくつかの実施形態において、ＲＦトランシーバ回路１２２２、ベースバンド処理回路１２２４、およびアプリケーション処理回路１２２６は、別個のチップまたはチップセット上とすることができる。代替実施形態においては、ベースバンド処理回路１２２４およびアプリケーション処理回路１２２６の一部または全部を１つのチップまたはチップセットとして組合せ可能であり、ＲＦトランシーバ回路１２２２を別個のチップまたはチップセット上とすることができる。別の代替実施形態においては、ＲＦトランシーバ回路１２２２およびベースバンド処理回路１２２４の一部または全部を同じチップまたはチップセット上とすることができ、アプリケーション処理回路１２２６を別個のチップまたはチップセット上とすることができる。さらに他の代替実施形態においては、ＲＦトランシーバ回路１２２２、ベースバンド処理回路１２２４、およびアプリケーション処理回路１２２６の一部または全部を同じチップまたはチップセットに組み合わせることができる。いくつかの実施形態においては、ＲＦトランシーバ回路１２２２をインターフェース１２１４の一部とすることもできる。ＲＦトランシーバ回路１２２２は、処理回路１２２０に対するＲＦ信号を調節可能である。
【０１１８】
特定の実施形態においては、デバイス可読媒体１２３０（特定の実施形態においては、コンピュータ可読記憶媒体が可能）に格納された命令を実行する処理回路１２２０により、ＷＤが実行するものとして本明細書に記載の機能の一部または全部が提供され得る。代替実施形態においては、別個または個別のデバイス可読記憶媒体に格納された命令を配線接続された様態等で実行することなく、機能の一部または全部が処理回路１２２０により提供され得る。これら特定の実施形態のいずれにおいても、デバイス可読媒体に格納された命令を実行するか否かに関わらず、処理回路１２２０は、上記機能を実行するように設定可能である。このような機能によりもたらされる利益は、処理回路１２２０単独またはＷＤ１２１０の他の構成要素に限定されず、全体としてのＷＤ１２１０ならびに／または一般としてのエンドユーザおよび無線ネットワークにより享受される。
【０１１９】
処理回路１２２０は、ＷＤが実行するものとして、本明細書に記載の任意の決定、計算、または類似動作（たとえば、特定の取得動作）を実行するように設定可能である。処理回路１２２０が実行するこれらの動作には、たとえば処理回路１２２０が取得した情報を他の情報に変換すること、ＷＤ１２１０に格納された情報に対して取得情報もしくは変換情報を比較すること、ならびに／または取得情報もしくは変換情報に基づいて１つもしくは複数の動作を実行することにより取得情報を処理することと、前記処理の結果として決定を下すこととを含み得る。
【０１２０】
デバイス可読媒体１２３０は、コンピュータプログラム、ソフトウェア、ロジック、ルール、コード、テーブル等のうちの１つもしくは複数を含むアプリケーション、ならびに／または処理回路１２２０による実行が可能な他の命令を格納するように動作可能となり得る。デバイス可読媒体１２３０としては、コンピュータメモリ（たとえば、ランダムアクセスメモリ（ＲＡＭ）もしくはリードオンリーメモリ（ＲＯＭ））、大容量記憶媒体（たとえば、ハードディスク）、リムーバブル記憶媒体（たとえば、コンパクトディスク（ＣＤ）もしくはデジタルビデオディスク（ＤＶＤ））、ならびに／または処理回路１２２０により使用可能な情報、データ、および／もしくは命令を格納するその他任意の揮発性もしくは不揮発性の持続性デバイス可読および／もしくはコンピュータ実行可能メモリデバイスが挙げられる。いくつかの実施形態において、処理回路１２２０およびデバイス可読媒体１２３０は、統合が考えられる。
【０１２１】
ユーザインターフェース機器１２３２は、人間のユーザによるＷＤ１２１０との相互作用を許可および／または容易化する構成要素を含み得る。このような相互作用としては、視覚、聴覚、触覚等、多くの形態が可能である。ユーザインターフェース機器１２３２は、ユーザへの出力を生成するとともに、ユーザによるＷＤ１２１０への入力の提供を許可および／または容易化するように動作可能となり得る。相互作用の種類は、ＷＤ１２１０に組み込まれたユーザインターフェース機器１２３２の種類に応じて変化し得る。たとえば、ＷＤ１２１０がスマートフォンの場合、相互作用は、タッチスクリーンを介したものとなり得る。ＷＤ１２１０がスマートメータの場合、相互作用は、使用量（たとえば、使用したガロン数）を与えるスクリーンまたは（たとえば、煙が検出された場合の）警報を与えるスピーカを通じたものとなり得る。ユーザインターフェース機器１２３２は、入力インターフェース、デバイス、および回路、ならびに出力インターフェース、デバイス、および回路を含み得る。ユーザインターフェース機器１２３２は、情報のＷＤ１２１０への入力を許可および／または容易化するように設定可能であり、処理回路１２２０に接続されて、処理回路１２２０による入力情報の処理を許可および／または容易化する。ユーザインターフェース機器１２３２は、たとえばマイク、近接センサ等のセンサ、キー／ボタン、タッチディスプレイ、１つもしくは複数のカメラ、ＵＳＢポート、または他の入力回路を具備し得る。また、ユーザインターフェース機器１２３２は、ＷＤ１２１０からの情報の出力を許可および／または容易化するとともに、処理回路１２２０によるＷＤ１２１０からの情報の出力を許可および／または容易化するように設定されている。ユーザインターフェース機器１２３２は、たとえばスピーカ、ディスプレイ、振動回路、ＵＳＢポート、ヘッドフォンインターフェース、または他の出力回路を具備し得る。ユーザインターフェース機器１２３２の１つまたは複数の入力および出力インターフェース、デバイス、および回路を使用することにより、ＷＤ１２１０は、エンドユーザおよび／または無線ネットワークと通信可能であるとともに、エンドユーザおよび／または無線ネットワークが本明細書に記載の機能から利益を享受することを許可および／または容易化し得る。
【０１２２】
補助機器１２３４は、ＷＤが一般的に実行し得ないより具体的な機能を提供するように動作可能である。これには、さまざまな目的で測定を行う特殊センサ、有線通信等の付加的な種類の通信用のインターフェース等を含み得る。補助機器１２３４の構成要素の具備および種類は、実施形態および／またはシナリオに応じて変化し得る。
【０１２３】
いくつかの実施形態において、電源１２３６は、バッテリまたはバッテリパックの形態が可能である。外部電源（たとえば、コンセント）、光起電デバイス、または動力電池等の他種の電源も使用可能である。ＷＤ１２１０は、本明細書に記載または指定の任意の機能の実行に電源１２３６からの電力を必要とするＷＤ１２１０のさまざまな部分に対して、電源１２３６から電力を送達する電力回路１２３７をさらに備え得る。特定の実施形態において、電力回路１２３７は、電力管理回路を備え得る。この追加または代替として、電力回路１２３７は、外部電源から電力を受電するように動作可能となり得る。この場合、ＷＤ１２１０は、電力ケーブル等の入力回路またはインターフェースを介して、外部電源（コンセント等）に接続可能となり得る。また、特定の実施形態において、電力回路１２３７は、外部電源から電源１２３６に電力を送達するように動作可能となり得る。これにより、たとえば電源１２３６を充電可能である。電力回路１２３７は、電源１２３６からの電力に対して任意の変換または他の変更を実行することにより、ＷＤ１２１０の各構成要素への供給に適したものとすることができる。
【０１２４】
図１３は、本明細書に記載の種々の態様に係る、ＵＥの例示的な一実施形態を示している。本明細書において、ユーザ機器すなわちＵＥは必ずしも、関連するデバイスを所有および／または操作する人間の意味でのユーザを含まなくてもよい。代わりに、ＵＥは、人間のユーザへの販売または人間のユーザによる操作を意図したデバイスを表し得るが、特定の人間ユーザと関連付けられていなくてもよいし、最初は関連付けられていなくてもよい（たとえば、スマートスプリンクラーコントローラ）。あるいは、ＵＥは、エンドユーザへの販売またはエンドユーザによる操作を意図しないデバイスを表し得るが、ユーザの利益との関連付けも可能であるし、ユーザの利益のための動作も可能である（たとえば、スマート電力計）。ＵＥ１３２００としては、ＮＢ−ＩｏＴ  ＵＥ、マシンタイプ通信（ＭＴＣ）ＵＥ、および／またはエンハンストＭＴＣ（ｅＭＴＣ）ＵＥ等、第三世代携帯電話に関する標準仕様の策定を目指すプロジェクトが定めた標準規格のファイルフォーマット（３ＧＰＰ）により識別される任意のＵＥが可能である。図１３に示すように、ＵＥ１３００は、第三世代携帯電話に関する標準仕様の策定を目指すプロジェクト（３ＧＰＰ）により公布された１つまたは複数の通信規格に従って通信するように設定されたＷＤの一例であり、たとえば、３ＧＰＰのＧＳＭ、ＵＭＴＳ、ＬＴＥ、および／または５Ｇ規格である。前述の通り、ＷＤおよびＵＥという用語は、区別なく使用可能である。したがって、図１３はＵＥであるが、本明細書に記載の構成要素は、ＷＤにも等しく適用可能であり、その逆もまた同様である。
【０１２５】
図１３において、ＵＥ１３００は、入出力インターフェース１３０５、無線周波数（ＲＦ）インターフェース１３０９、ネットワーク接続インターフェース１３１１、ランダムアクセスメモリ（ＲＡＭ）１３１７、リードオンリーメモリ（ＲＯＭ）１３１９、および記憶媒体１３２１等を含むメモリ１３１５、通信サブシステム１３３１、電源１３３３、および／もしくはその他任意の構成要素、またはこれらの任意の組合せに対して動作可能に結合された処理回路１３０１を具備する。記憶媒体１３２１は、オペレーティングシステム１３２３、アプリケーションプログラム１３２５、およびデータ１３２７を含む。他の実施形態において、記憶媒体１３２１は、他の同種の情報を含み得る。特定のＵＥは、図１３に示す構成要素をすべて利用することも可能であるし、一部の構成要素のみを利用することも可能である。構成要素間の統合のレベルは、ＵＥごとに異なり得る。さらに、特定のＵＥは、複数のプロセッサ、メモリ、トランシーバ、送信機、受信機等、１つの構成要素について複数の実例を含み得る。
【０１２６】
図１３において、処理回路１３０１は、コンピュータ命令およびデータを処理するように設定可能である。処理回路１３０１は、（たとえば、離散ロジック、ＦＰＧＡ、ＡＳＩＣ等における）１つまたは複数のハードウェア実装ステートマシン、適当なファームウェアと併せたプログラマブルロジック、適当なソフトウェアと併せたマイクロプロセッサまたはデジタル信号プロセッサ（ＤＳＰ）等の１つまたは複数の格納プログラム汎用プロセッサ、またはこれらの任意の組合せ等、マシン可読コンピュータプログラムとしてメモリに格納されたマシン命令を実行するように動作する任意のシーケンシャルステートマシンを実装するように設定可能である。たとえば、処理回路１３０１は、２つの中央演算処理装置（ＣＰＵ）を具備し得る。データとしては、コンピュータによる使用に適した形態の情報が可能である。
【０１２７】
図示の実施形態において、入出力インターフェース１３０５は、入力装置、出力装置、または入出力装置に対する通信インターフェースを与えるように設定可能である。ＵＥ１３００は、入出力インターフェース１３０５を介して出力装置を使用するように設定可能である。出力装置は、入力装置と同種のインターフェースポートを使用可能である。たとえば、ＵＥ１３００に対する入力および出力として、ＵＳＢポートを使用可能である。出力装置としては、スピーカ、サウンドカード、ビデオカード、ディスプレイ、モニタ、プリンタ、アクチュエータ、エミッタ、スマートカード、別の出力装置、またはこれらの任意の組合せが可能である。ＵＥ１３００は、入出力インターフェース１３０５を介した入力装置の使用によって、情報のＵＥ１３００への取り込みを許可および／または容易化するように設定可能である。入力装置としては、タッチセンサ式またはプレゼンスセンサ式ディスプレイ、カメラ（たとえば、デジタルカメラ、デジタルビデオカメラ、ウェブカメラ等）、マイク、センサ、マウス、トラックボール、方向パッド、トラックパッド、スクロールホイール、スマートカード等が挙げられる。プレゼンスセンサ式ディスプレイは、ユーザからの入力を検知する容量性または抵抗性のタッチセンサを具備し得る。センサとしては、たとえば加速度計、ジャイロスコープ、傾斜センサ、力センサ、磁力計、光学センサ、近接センサ、別の類似センサ、またはこれらの任意の組合せが可能である。たとえば、入力装置としては、加速度計、磁力計、デジタルカメラ、マイク、および光学センサが可能である。
【０１２８】
図１３において、ＲＦインターフェース１３０９は、送信機、受信機、およびアンテナ等のＲＦ構成要素に対する通信インターフェースを与えるように設定可能である。ネットワーク接続インターフェース１３１１は、ネットワーク１３４３ａに対する通信インターフェースを与えるように設定可能である。ネットワーク１３４３ａは、ローカルエリアネットワーク（ＬＡＮ）、ワイドエリアネットワーク（ＷＡＮ）、コンピュータネットワーク、無線ネットワーク、遠隔通信ネットワーク、別の類似ネットワーク、またはこれらの任意の組合せ等の有線および／または無線ネットワークを網羅し得る。たとえば、ネットワーク１３４３ａは、Ｗｉ−Ｆｉネットワークを含み得る。ネットワーク接続インターフェース１３１１は、Ｅｔｈｅｒｎｅｔ、ＴＣＰ／ＩＰ、ＳＯＮＥＴ、ＡＴＭ等の１つまたは複数の通信プロトコルにより通信ネットワークを介して１つまたは複数の他のデバイスと通信するのに用いられる受信機および送信機インターフェースを含むように設定可能である。ネットワーク接続インターフェース１３１１は、通信ネットワークリンク（たとえば、光学的リンク、電気的リンク等）に適した受信機および送信機の機能を実装可能である。送信機および受信機の機能は、回路構成要素、ソフトウェアまたはファームウェアを共有することも可能であるし、あるいは、別個に実装することも可能である。
【０１２９】
ＲＡＭ１３１７は、バス１３０２を介した処理回路１３０１との相互作用によって、オペレーティングシステム、アプリケーションプログラム、およびデバイスドライバ等のソフトウェアプログラムの実行時に、データまたはコンピュータ命令を格納またはキャッシングするように設定可能である。ＲＯＭ１３１９は、コンピュータ命令またはデータを処理回路１３０１に提供するように設定可能である。たとえば、ＲＯＭ１３１９は、基本入出力（Ｉ／Ｏ）、起動、不揮発性メモリに格納されたキーボードからのキーストロークの受け付け等の基本的なシステム機能に対する不変の低レベルシステムコードまたはデータを格納するように設定可能である。記憶媒体１３２１は、ＲＡＭ、ＲＯＭ、プログラム可能リードオンリーメモリ（ＰＲＯＭ）、消去・プログラム可能リードオンリーメモリ（ＥＰＲＯＭ）、電気的消去・プログラム可能リードオンリーメモリ（ＥＥＰＲＯＭ）等のメモリ、磁気ディスク、光ディスク、フロッピーディスク、ハードディスク、リムーバブルカートリッジ、またはフラッシュドライブを含むように設定可能である。一例として、記憶媒体１３２１は、オペレーティングシステム１３２３、ウェブブラウザアプリケーション、ウィジェットもしくはガジェットエンジン、または別のアプリケーション等のアプリケーションプログラム１３２５、およびデータファイル１３２７を含むように設定可能である。記憶媒体１３２１は、ＵＥ１３００が使用するものとして、多様な種々のオペレーティングシステムまたはオペレーティングシステムの組合せのいずれかを格納し得る。
【０１３０】
記憶媒体１３２１は、ＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ＤＩＭＭ（ｍｉｎｉ−Ｄｕａｌ  Ｉｎ−ｌｉｎｅ  Ｍｅｍｏｒｙ  Ｍｏｄｕｌｅ）、同期型ダイナミックランダムアクセスメモリ（ＳＤＲＡＭ）、外部マイクロＤＩＭＭ  ＳＤＲＡＭ、加入者識別モジュールまたはリムーバブルユーザ識別モジュール（ＳＩＭ／ＲＵＩＭ）等のスマートカードメモリ、他のメモリ、またはこれらの任意の組合せ等、多くの物理的ドライブユニットを含むように設定可能である。記憶媒体１３２１は、非持続性または持続性記憶媒体に格納されたコンピュータ実行可能命令、アプリケーションプログラム等へのＵＥ１３００によるアクセス、データのオフロード、またはデータのアップロードを許可および／または容易化し得る。通信システムを利用するような製造品を記憶媒体１３２１において実際に具現化可能であり、デバイス可読媒体を含み得る。
【０１３１】
図１３において、処理回路１３０１は、通信サブシステム１３３１を用いてネットワーク１３４３ｂと通信するように設定可能である。ネットワーク１３４３ａおよびネットワーク１３４３ｂは、１つまたは複数の同一のネットワークとすることも可能であるし、１つまたは複数の異なるネットワークとすることも可能である。通信サブシステム１３３１は、ネットワーク１３４３ｂとの通信に用いられる１つまたは複数のトランシーバを含むように設定可能である。たとえば、通信サブシステム１３３１は、ＩＥＥＥ  ８０２．１３、ＣＤＭＡ、ＷＣＤＭＡ、ＧＳＭ、ＬＴＥ、ＵＴＲＡＮ、ＷｉＭａｘ等の１つまたは複数の通信プロトコルに従って、無線アクセスネットワーク（ＲＡＮ）の別のＷＤ、ＵＥ、または基地局等、無線通信が可能な別のデバイスの１つまたは複数のリモートトランシーバとの通信に用いられる１つまたは複数のトランシーバを含むように設定可能である。各トランシーバは、ＲＡＮリンクに適した送信機または受信機の機能（たとえば、周波数割り当て等）をそれぞれ実装する送信機１３３３および／または受信機１３３５を具備し得る。さらに、各トランシーバの送信機１３３３および受信機１３３５は、回路構成要素、ソフトウェアまたはファームウェアを共有することも可能であるし、あるいは、別個に実装することも可能である。
【０１３２】
図示の実施形態において、通信サブシステム１３３１の通信機能には、データ通信、音声通信、マルチメディア通信、Ｂｌｕｅｔｏｏｔｈ等の短距離通信、近距離通信、全地球測位システム（ＧＰＳ）を用いた位置の決定等の位置ベースの通信、別の類似通信機能、またはこれらの任意の組み合を含み得る。たとえば、通信サブシステム１３３１は、セルラー通信、Ｗｉ−Ｆｉ通信、Ｂｌｕｅｔｏｏｔｈ通信、およびＧＰＳ通信を含み得る。ネットワーク１３４３ｂは、ローカルエリアネットワーク（ＬＡＮ）、ワイドエリアネットワーク（ＷＡＮ）、コンピュータネットワーク、無線ネットワーク、遠隔通信ネットワーク、別の類似ネットワーク、またはこれらの任意の組合せ等の有線および／または無線ネットワークを網羅し得る。たとえば、ネットワーク１３４３ｂとしては、セルラーネットワーク、Ｗｉ−Ｆｉネットワーク、および／または近距離通信ネットワークが可能である。電源１３１３は、ＵＥ１３００の構成要素に対して交流（ＡＣ）または直流（ＤＣ）電力を与えるように設定可能である。
【０１３３】
本明細書に記載の特徴、利益、および／または機能は、ＵＥ１３００の構成要素のうちの１つで実装することも可能であるし、ＵＥ１３００の複数の構成要素全体で分配することも可能である。さらに、本明細書に記載の特徴、利益、および／または機能は、ハードウェア、ソフトウェア、またはファームウェアの如何なる組合せにおいても実装可能である。一例として、通信サブシステム１３３１は、本明細書に記載の構成要素のいずれかを含むように設定可能である。さらに、処理回路１３０１は、このような構成要素のいずれかとバス１３０２を介して通信するように設定可能である。別の例においては、処理回路１３０１により実行された場合に、本明細書に記載の対応する機能を実行するメモリに格納されたプログラム命令によって、このような構成要素のいずれかを表し得る。別の例において、このような構成要素のいずれかの機能は、処理回路１３０１と通信サブシステム１３３１とに分配可能である。別の例において、このような構成要素のいずれかの非演算集約的機能は、ソフトウェアまたはファームウェアにおいて実装可能であり、演算集約的機能は、ハードウェアにおいて実装可能である。
【０１３４】
図１４は、いくつかの実施形態により実装される機能を仮想化し得る仮想化環境１４００を示す模式ブロック図である。本文脈において、仮想化は、仮想化ハードウェアプラットフォーム、記憶装置、およびネットワークリソースを含み得る装置またはデバイスの仮想版を生成することを意味する。本明細書において、仮想化は、ノード（たとえば、仮想化基地局または仮想化無線アクセスノード）、デバイス（たとえば、ＵＥ、無線デバイス、またはその他任意の種類の通信デバイス）、またはそれらの構成要素に適用可能であり、機能の少なくとも一部が（たとえば、１つまたは複数のネットワークの１つまたは複数の物理的処理ノード上で実行される１つまたは複数のアプリケーション、コンポーネント、機能、仮想マシン、またはコンテナにより）１つまたは複数の仮想コンポーネントとして実装される一実施態様に関する。
【０１３５】
いくつかの実施形態においては、ハードウェアノード１４３０のうちの１つまたは複数がホスティングする１つまたは複数の仮想化環境１４００において実装された１つまたは複数の仮想マシンにより実行される仮想コンポーネントとして、本明細書に記載の機能の一部または全部を実装可能である。さらに、仮想ノードが無線アクセスノードでもなく、無線接続も必要としない（たとえば、コアネットワークノードである）実施形態においては、ネットワークノードを完全に仮想化可能である。
【０１３６】
上記機能は、本明細書に開示の実施形態の一部の特徴、機能、および／または利益の一部を実現するように動作する１つまたは複数のアプリケーション１４２０（あるいは、ソフトウェアインスタンス、仮想電気器具、ネットワーク機能、仮想ノード、仮想ネットワーク機能等と称し得る）によって実装可能である。アプリケーション１４２０は、処理回路１４６０およびメモリ１４９０を含むハードウェア１４３０を提供する仮想化環境１４００において実行される。メモリ１４９０は、処理回路１４６０による実行によって、本明細書に開示の特徴、利益、および／または機能のうちの１つまたは複数を提供するようにアプリケーション１４２０が動作し得る命令１４９５を含む。
【０１３７】
仮想化環境１４００は、一組の１つまたは複数のプロセッサまたは処理回路１４６０（民生（ＣＯＴＳ）プロセッサ、専用特定用途向け集積回路（ＡＳＩＣ）、またはデジタルもしくはアナログハードウェア構成要素もしくは専用プロセッサを含むその他任意の種類の処理回路が可能）を含む汎用または専用ネットワークハードウェアデバイス１４３０を備える。各ハードウェアデバイスは、メモリ１４９０−１（処理回路１４６０により実行される命令１４９５またはソフトウェアを一時的に格納する非永続メモリが可能）を備え得る。各ハードウェアデバイスは、物理的なネットワークインターフェース１４８０を含む１つまたは複数のネットワークインターフェースコントローラ（ＮＩＣ）１４７０（ネットワークインターフェースカードとしても知られる）を備え得る。また、各ハードウェアデバイスは、処理回路１４６０により実行されるソフトウェア１４９５または命令が格納された持続性永続マシン可読記憶媒体１４９０−２を含み得る。ソフトウェア１４９５としては、１つまたは複数の仮想化レイヤ１４５０（ハイパーバイザとも称する）をインスタンス化するソフトウェア、仮想マシン１４４０を実行するソフトウェア、ならびに本明細書に記載のいくつかの実施形態に関連して説明する機能、特徴、および／もしくは利益を実行可能にするソフトウェア等、任意の種類のソフトウェアが挙げられる。
【０１３８】
仮想マシン１４４０は、仮想プロセッサ、仮想メモリ、仮想ネットワークもしくはインターフェース、ならびに仮想ストレージを備え、対応する仮想化レイヤ１４５０またはハイパーバイザにより実行可能である。仮想マシン１４４０のうちの１つまたは複数においては、仮想電気器具１４２０のインスタンスの異なる実施形態を実装可能であり、また、異なる方法で実装可能である。
【０１３９】
動作時、処理回路１４６０は、ソフトウェア１４９５の実行によって、ハイパーバイザまたは仮想化レイヤ１４５０をインスタンス化するが、これは、仮想マシンモニタ（ＶＭＭ）と称し得る場合もある。仮想化レイヤ１４５０は、仮想マシン１４４０に対する類似のネットワークハードウェアとして現れる仮想動作プラットフォームを提示し得る。
【０１４０】
図１４に示すように、ハードウェア１４３０としては、一般または特定の構成要素を備えた独立型のネットワークノードが可能である。ハードウェア１４３０は、アンテナ１４２２５を備えるとともに、仮想化によって一部の機能を実装可能である。あるいは、ハードウェア１４３０は、（たとえば、データセンタまたは加入者宅内機器（ＣＰＥ）等における）大規模なハードウェア群の一部とすることも可能であって、多くのハードウェアノードが協働するとともに、とりわけアプリケーション１４２０のライフサイクル管理を監視するＭＡＮＯ（Ｍａｎａｇｅｍｅｎｔ  Ａｎｄ  Ｏｒｃｈｅｓｔｒａｔｉｏｎ）１４１００によって管理される。
【０１４１】
いくつかの文脈において、ハードウェアの仮想化は、ネットワーク機能仮想化（ＮＦＶ）と称する。ＮＦＶの使用によって、データセンタおよび加入者宅内機器に位置付け可能な業界標準の大容量サーバハードウェア、物理的スイッチ、および物理的ストレージに対して、ネットワーク機器の多くの種類を確立することができる。
【０１４２】
ＮＦＶの文脈において、仮想マシン１４４０としては、物理的な非仮想化マシン上で実行されているようにプログラムを実行する物理マシンのソフトウェア実施態様が可能である。仮想マシン１４４０および当該仮想マシンを実行するハードウェア１４３０の部分は、当該仮想マシン専用のハードウェアおよび／または当該仮想マシンが他の仮想マシン１４４０と共有するハードウェアである場合、別個の仮想ネットワーク要素（ＶＮＥ）を構成する。
【０１４３】
さらに、ＮＦＶの文脈において、仮想ネットワーク機能（ＶＮＦ）は、ハードウェアネットワークインフラ１４３０上の１つまたは複数の仮想マシン１４４０において動作する特定のネットワーク機能の処理を担うとともに、図１４のアプリケーション１４２０に対応する。
【０１４４】
いくつかの実施形態においては、それぞれが１つもしくは複数の送信機１４２２０ならびに１つもしくは複数の受信機１４２１０を具備する１つまたは複数の無線ユニット１４２００を１つまたは複数のアンテナ１４２２５に結合可能である。無線ユニット１４２００は、１つまたは複数の適当なネットワークインターフェースを介してハードウェアノード１４３０と直接通信可能であり、仮想コンポーネントと組み合わせた使用によって、無線アクセスノードまたは基地局等の無線機能を仮想ノードに提供可能である。
【０１４５】
いくつかの実施形態においては、代替としてハードウェアノード１４３０と無線ユニット１４２００との間の通信に使用可能な制御システム１４２３０の使用によって、一部のシグナリングを有効にすることができる。
【０１４６】
図１５を参照して、一実施形態によれば、通信システムは、無線アクセスネットワーク等のアクセスネットワーク１５１１およびコアネットワーク１５１４を含む３ＧＰＰ型のセルラーネットワーク等の遠隔通信ネットワーク１５１０を含む。アクセスネットワーク１５１１は、それぞれ対応するカバレッジエリア１５１３ａ、１５１３ｂ、１５１３ｃを規定するＮＢ、ｅＮＢ、ｇＮＢ、または他種の無線アクセスポイント等の複数の基地局１５１２ａ、１５１２ｂ、１５１２ｃを備える。各基地局１５１２ａ、１５１２ｂ、１５１２ｃは、有線または無線接続１５１５を介してコアネットワーク１５１４に接続可能である。カバレッジエリア１５１３ｃに位置付けられた第１のＵＥ１５９１は、対応する基地局１５１２ｃに対する無線接続または対応する基地局１５１２ｃによるページングが行われるように設定可能である。カバレッジエリア１５１３ａの第２のＵＥ１５９２は、対応する基地局１５１２ａに対して無線接続可能である。本例においては複数のＵＥ１５９１、１５９２を示すが、開示の実施形態は、単一のＵＥのみがカバレッジエリア中に存在する状況または単一のＵＥのみがつながっている状況にも等しく適用可能である。
【０１４７】
遠隔通信ネットワーク１５１０は、それ自体がホストコンピュータ１５３０に接続されているが、これは、独立型サーバ、クラウド実装サーバ、分散サーバのハードウェアおよび／もしくはソフトウェアにおける具現化またはサーバファームにおける処理リソースとしての具現化が可能である。ホストコンピュータ１５３０は、サービスプロバイダによる所有もしくは制御またはサービスプロバイダによる運用もしくはサービスプロバイダの代わりの運用が可能である。遠隔通信ネットワーク１５１０とホストコンピュータ１５３０との間の接続１５２１および１５２２は、コアネットワーク１５１４からホストコンピュータ１５３０までの直接的な延伸または任意選択としての中間ネットワーク１５２０を介した延伸が可能である。中間ネットワーク１５２０としては、パブリック、プライベート、またはホステッドネットワークのうちの１つまたはこれらのうちの２つ以上の組合せが可能である。中間ネットワーク１５２０が存在する場合は、バックボーンネットワークまたはインターネットが可能である。特に、中間ネットワーク１５２０は、２つ以上のサブネットワーク（図示せず）を含み得る。
【０１４８】
図１５の通信システムは全体として、接続ＵＥ１５９１、１５９２、およびホストコンピュータ１５３０間の接続を可能にする。この接続は、オーバー・ザ・トップ（ＯＴＴ）接続１５５０として説明可能である。ホストコンピュータ１５３０および接続ＵＥ１５９１、１５９２は、アクセスネットワーク１５１１、コアネットワーク１５１４、任意の中間ネットワーク１５２０、および中間段階として考え得る別のインフラ（図示せず）を用いることにより、ＯＴＴ接続１５５０を介してデータおよび／またはシグナリングを伝達するように設定されている。ＯＴＴ接続１５５０は、それが通過する参加通信デバイスがアップリンクおよびダウンリンク通信のルーティングを認識しない意味において、透明と考えられる。たとえば、基地局１５１２は、接続ＵＥ１５９１に転送（たとえば、ハンドオーバ）されるホストコンピュータ１５３０からのデータを伴う入力ダウンリンク通信の過去のルーティングについて、通知されなくてもよいし、その必要がなくてもよい。同様に、基地局１５１２は、ＵＥ１５９１からホストコンピュータ１５３０に向かう出力アップリンク通信の未来のルーティングを認識する必要がない。
【０１４９】
以下、図１６を参照して、各前項に記載のＵＥ、基地局、およびホストコンピュータの一実施形態に係る例示的な実施態様を説明する。通信システム１６００において、ホストコンピュータ１６１０は、通信システム１６００の異なる通信デバイスのインターフェースとの有線または無線接続をセットアップおよび維持するように設定された通信インターフェース１６１６を含むハードウェア１６１５を備える。ホストコンピュータ１６１０は、記憶および／または処理機能を有し得る処理回路１６１８をさらに備える。特に、処理回路１６１８は、命令を実行するように構成された１つまたは複数のプログラム可能プロセッサ、特定用途向け集積回路、フィールドプログラマブルゲートアレイ、またはこれらの組合せ（図示せず）を備え得る。ホストコンピュータ１６１０は、当該ホストコンピュータ１６１０に格納されるか、または、当該ホストコンピュータ１６１０によりアクセス可能かつ処理回路１６１８により実行可能なソフトウェア１６１１をさらに備える。ソフトウェア１６１１は、ホストアプリケーション１６１２を含む。ホストアプリケーション１６１２は、ＵＥ１６３０およびホストコンピュータ１６１０で終端するＯＴＴ接続１６５０を介してつながるＵＥ１６３０等のリモートユーザにサービスを提供するように動作可能となり得る。リモートユーザへのサービスの提供において、ホストアプリケーション１６１２は、ＯＴＴ接続１６５０を用いて送信されるユーザデータを提供可能である。
【０１５０】
また、通信システム１６００は、遠隔通信システムに設けられ、ホストコンピュータ１６１０およびＵＥ１６３０との通信を可能にするハードウェア１６２５を備えた基地局１６２０を含み得る。ハードウェア１６２５は、通信システム１６００の異なる通信デバイスのインターフェースとの有線または無線通信をセットアップおよび維持する通信インターフェース１６２６のほか、基地局１６２０がサーブするカバレッジエリア（図１６に示さず）に位置付けられたＵＥ１６３０との少なくとも無線の接続１６７０をセットアップおよび維持する無線インターフェース１６２７を具備し得る。通信インターフェース１６２６は、ホストコンピュータ１６１０への接続１６６０を容易化するように設定可能である。接続１６６０は、直接も可能であるし、遠隔通信システムのコアネットワーク（図１６に示さず）および／または遠隔通信システムの外側の１つまたは複数の中間ネットワークを通過することも可能である。また、図示の実施形態において、基地局１６２０のハードウェア１６２５は、命令を実行するように構成された１つまたは複数のプログラム可能プロセッサ、特定用途向け集積回路、フィールドプログラマブルゲートアレイ、またはこれらの組合せ（図示せず）を備え得る処理回路１６２８を含み得る。基地局１６２０は、内部に格納されたソフトウェア１６２１または外部接続を介してアクセス可能なソフトウェア１６２１をさらに有する。
【０１５１】
また、通信システム１６００は、すでに言及したＵＥ１６３０を含み得る。そのハードウェア１６３５は、ＵＥ１６３０が現在位置付けられているカバレッジエリアにサーブする基地局との無線接続１６７０をセットアップおよび維持するように設定された無線インターフェース１６３７を含み得る。そのハードウェア１６３５は、ＵＥ１６３０が現在位置付けられているカバレッジエリアにサーブする基地局との無線接続１６７０をセットアップおよび維持するように設定された無線インターフェース１６３７を含み得る。また、ＵＥ１６３０のハードウェア１６３５は、命令を実行するように構成された１つまたは複数のプログラム可能プロセッサ、特定用途向け集積回路、フィールドプログラマブルゲートアレイ、またはこれらの組合せ（図示せず）を備え得る処理回路１６３８を含み得る。ＵＥ１６３０は、当該ＵＥ１６３０に格納されるか、または、当該ＵＥ１６３０によりアクセス可能かつ処理回路１６３８により実行可能なソフトウェア１６３１をさらに備える。ソフトウェア１６３１は、クライアントアプリケーション１６３２を含む。クライアントアプリケーション１６３２は、ホストコンピュータ１６１０の補助により、ＵＥ１６３０を介して人間または人間以外のユーザにサービスを提供するように動作可能となり得る。ホストコンピュータ１６１０においては、ＵＥ１６３０および当該ホストコンピュータ１６１０で終端するＯＴＴ接続１６５０を介して、実行ホストアプリケーション１６１２が実行クライアントアプリケーション１６３２と通信可能である。ユーザへのサービスの提供において、クライアントアプリケーション１６３２は、ホストアプリケーション１６１２からリクエストデータを受信し、このリクエストデータに応答してユーザデータを提供することができる。ＯＴＴ接続１６５０は、リクエストデータおよびユーザデータの両者を伝送可能である。クライアントアプリケーション１６３２は、ユーザとの相互作用により、提供するユーザデータを生成することができる。
【０１５２】
なお、図１６に示すホストコンピュータ１６１０、基地局１６２０、およびＵＥ１６３０はそれぞれ、図１５のホストコンピュータ１５３０、基地局１５１２ａ、１５１２ｂ、１５１２ｃのうちの１つ、およびＵＥ１５９１、１５９２の一方と類似または同一のものが可能である。すなわち、これらのエンティティの内部作用は、図１６に示す通りが可能である一方、これとは無関係に、周囲のネットワークトポロジは、図１５のものが可能である。
【０１５３】
図１６においては、如何なる中間段階デバイスおよびこれらのデバイスを介したメッセージの厳密なルーティングも明示的に参照することなく、基地局１６２０を介したホストコンピュータ１６１０とＵＥ１６３０との間の通信を示すため、ＯＴＴ接続１６５０を抽象的に描画している。ネットワークインフラがルーティングを決定可能であるが、これは、ＵＥ１６３０もしくはサービスプロバイダが運用するホストコンピュータ１６１０、またはその両者から見えないように設定可能である。ＯＴＴ接続１６５０がアクティブである間に、ネットワークインフラは、（たとえば、ネットワークの負荷分散の考慮または再設定に基づいて）ルーティングを動的に変更する決定をさらに行うことができる。
【０１５４】
ＵＥ１６３０と基地局１６２０との間の無線接続１６７０は、本開示全体に記載の実施形態の教示内容に従う。種々の実施形態のうちの１つまたは複数により、ＯＴＴ接続１６５０によってＵＥ１６３０に提供されるＯＴＴサービスの性能が向上するが、無線接続１６７０はその最新部分を構成する。より厳密に、本明細書に開示の例示的な実施形態によれば、５Ｇネットワークの外部のＯＴＴデータアプリケーションまたはサービス等、ユーザ機器（ＵＥ）と別のエンティティとの間のデータセッションと関連付けられたデータフロー（それぞれの対応する無線ベアラを含む）のエンド・ツー・エンドサービス品質（ＱｏＳ）をモニタリングするネットワークの柔軟性が向上し得る。これらの利点および他の利点によって、５Ｇ／ＮＲソリューションの時宜を得た設計、実装、および展開が容易化され得る。さらに、このような実施形態によって、データセッションＱｏＳの柔軟かつ時宜を得た制御が容易化され、５Ｇ／ＮＲに想定されるとともにＯＴＴサービスの成長にとって重要な容量、スループット、レイテンシ等が改善され得る。
【０１５５】
１つまたは複数の実施形態により改善されるデータレート、レイテンシ、および他のネットワーク運用態様のモニタリングを目的として、測定手順を提供可能である。さらには、測定結果の変動に応じて、ホストコンピュータ１６１０とＵＥ１６３０との間のＯＴＴ接続１６５０を再設定する任意選択としてのネットワーク機能が存在し得る。ＯＴＴ接続１６５０を再設定する測定手順および／またはネットワーク機能は、ホストコンピュータ１６１０のソフトウェア１６１１およびハードウェア１６１５もしくはＵＥ１６３０のソフトウェア１６３１およびハードウェア１６３５、またはその両者において実装可能である。実施形態においては、ＯＴＴ接続１６５０が通過する通信デバイス中または通信デバイスとの関連でセンサ（図示せず）を展開可能である。センサは、上記例示のモニタリング量の値またはソフトウェア１６１１、１６３１がモニタリング量を演算もしくは推定可能な他の物理量の値を供給することによって、測定手順に関与し得る。ＯＴＴ接続１６５０の再設定には、メッセージフォーマット、再送信設定、好ましいルーティング等を含み得る。この再設定は、基地局１６２０に影響を及ぼす必要がなく、基地局１６２０が把握も感知もできない。このような手順および機能は、当技術分野において既知かつ実行可能である。特定の実施形態においては、ホストコンピュータ１６１０のスループット、伝搬時間、レイテンシ等の測定を容易化する独占的なＵＥシグナリングを測定に伴い得る。測定は、伝搬時間、エラー等をモニタリングしつつ、ＯＴＴ接続１６５０を用いることにより、特に空のメッセージすなわち「ダミー」メッセージとしてソフトウェア１６１１および１６３１がメッセージを送信するように実装可能である。
【０１５６】
図１７は、一実施形態に係る、通信システムにおいて実装される例示的な方法および／または手順を示すフローチャートである。通信システムは、ホストコンピュータ、基地局、およびＵＥを具備しており、いくつかの実施形態においては、図１５および図１６を参照して説明したものが可能である。本開示の簡素化のため、本項においては、図１７のみを参照する。ステップ１７１０において、ホストコンピュータは、ユーザデータを提供する。ステップ１７１０のサブステップ１７１１（任意選択として可能）において、ホストコンピュータは、ホストアプリケーションの実行によりユーザデータを提供する。ステップ１７２０において、ホストコンピュータは、ユーザデータをＵＥに搬送する送信を開始する。ステップ１７３０（任意選択として可能）において、基地局は、本開示全体に記載の実施形態の教示内容に従って、ホストコンピュータが開始した送信において搬送されたユーザデータをＵＥに送信する。ステップ１７４０（同じく任意選択として可能）において、ＵＥは、ホストコンピュータが実行するホストアプリケーションと関連付けられたクライアントアプリケーションを実行する。
【０１５７】
図１８は、一実施形態に係る、通信システムにおいて実装される例示的な方法および／または手順を示すフローチャートである。通信システムは、ホストコンピュータ、基地局、およびＵＥを具備しており、図１５および図１６を参照して説明したものが可能である。本開示の簡素化のため、本項においては、図１８のみを参照する。この方法のステップ１８１０において、ホストコンピュータは、ユーザデータを提供する。任意選択としてのサブステップ（図示せず）において、ホストコンピュータは、ホストアプリケーションの実行によりユーザデータを提供する。ステップ１８２０において、ホストコンピュータは、ユーザデータをＵＥに搬送する送信を開始する。この送信は、本開示全体に記載の実施形態の教示内容に従って、基地局を通過し得る。ステップ１８３０（任意選択として可能）において、ＵＥは、上記送信において搬送されたユーザデータを受信する。
【０１５８】
図１９は、一実施形態に係る、通信システムにおいて実装される例示的な方法および／または手順を示すフローチャートである。通信システムは、ホストコンピュータ、基地局、およびＵＥを具備しており、図１５および図１６を参照して説明したものが可能である。本開示の簡素化のため、本項においては、図１９のみを参照する。ステップ１９１０（任意選択として可能）において、ＵＥは、ホストコンピュータにより提供された入力データを受信する。この追加または代替として、ステップ１９２０において、ＵＥは、ユーザデータを提供する。ステップ１９２０のサブステップ１９２１（任意選択として可能）において、ＵＥは、クライアントアプリケーションの実行によりユーザデータを提供する。ステップ１９１０のサブステップ１９１１（任意選択として可能）において、ＵＥは、ホストコンピュータにより提供された受信入力データに応じてユーザデータを提供するクライアントアプリケーションを実行する。ユーザデータの提供において、実行されるクライアントアプリケーションは、ユーザから受信されるユーザ入力をさらに考慮し得る。ユーザデータが提供された具体的様態に関わらず、ＵＥは、サブステップ１９３０（任意選択として可能）において、ユーザデータのホストコンピュータへの送信を開始する。この方法のステップ１９４０において、ホストコンピュータは、本開示全体に記載の実施形態の教示内容に従って、ＵＥから送信されたユーザデータを受信する。
【０１５９】
図２０は、一実施形態に係る、通信システムにおいて実装される例示的な方法および／または手順を示すフローチャートである。通信システムは、ホストコンピュータ、基地局、およびＵＥを具備しており、図１５および図１６を参照して説明したものが可能である。本開示の簡素化のため、本項においては、図２０のみを参照する。ステップ２０１０（任意選択として可能）において、基地局は、本開示全体に記載の実施形態の教示内容に従って、ＵＥからユーザデータを受信する。ステップ２０２０（任意選択として可能）において、基地局は、受信したユーザデータのホストコンピュータへの送信を開始する。ステップ２０３０（任意選択として可能）において、ホストコンピュータは、基地局が開始した送信において搬送されたユーザデータを受信する。
【０１６０】
本明細書において、ユニット（ｕｎｉｔ）という用語は、エレクトロニクス、電気デバイス、および／または電子デバイスの分野における従来の意味を有するとともに、たとえば、上述のような各タスク、手順、演算、出力、および／または表示機能等を実行する電気および／または電子回路、デバイス、モジュール、プロセッサ、メモリ、論理固体デバイスおよび／または個別デバイス、コンピュータプログラムまたは命令を含み得る。
【図１】
2021515465.tif 000003
【図２】
2021515465.tif 000004
【図３】
2021515465.tif 000005
【図４】
2021515465.tif 000006
【図５】
2021515465.tif 000007
【図６】
2021515465.tif 000008
【図７】
2021515465.tif 000009
【図８】
2021515465.tif 000010
【図９】
2021515465.tif 000011
【図１０】
2021515465.tif 000012
【図１１】
2021515465.tif 000013
【図１２】
2021515465.tif 000014
【図１３】
2021515465.tif 000015
【図１４】
2021515465.tif 000016
【図１５】
2021515465.tif 000017
【図１６】
2021515465.tif 000018
【図１７】
2021515465.tif 000019
【図１８】
2021515465.tif 000020
【図１９】
2021515465.tif 000021
【図２０】
2021515465.tif 000022
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
基地局の中央ユニット（ＣＵ）により実行され、ユーザ機器（ＵＥ）にサーブするために前記基地局の第１の分散ユニット（ＤＵ）が使用するスペシャルセル（ＳｐＣｅｌｌ）を選択する方法であって、
前記ＵＥの好適なＳｐＣｅｌｌとして、前記第１のＤＵがサーブする第１のセルの識別情報と、
前記第１のＤＵがサーブする１つまたは複数の第２のセルの識別情報と、
を含む第１のリクエストを前記第１のＤＵに送信すること（１０３０）と、
前記第１のＤＵが前記ＵＥのＳｐＣｅｌｌとして前記第１のセルを設定できないという第１の指標と、
前記第１のＤＵが前記ＵＥのＳｐＣｅｌｌとしてゼロ個以上の第３のセルを設定できるという第２の指標と、
を含む第１の応答を前記第１のＤＵから受信すること（１０４０）と、
を含む、方法。
【請求項２】
前記第１のＤＵを含む１つまたは複数のＤＵと関連付けられた複数のセルに関する無線信号測定結果を受信すること（１０１０）と、
前記無線信号測定結果に基づいて、前記複数のセルから前記第１のセルおよび前記１つまたは複数の第２のセルを選択すること（１０２０）と、
をさらに含む、請求項１に記載の方法。
【請求項３】
前記第２の指標が、
前記第１のＤＵが前記ＵＥのＳｐＣｅｌｌとして前記第２のセルのいずれも設定できないという指標と、
識別された前記第３のセルのそれぞれが前記第２のセルのうちの１つである前記第３のセルの識別情報と、
のうちの少なくとも一方を含む、請求項１または２に記載の方法。
【請求項４】
識別された前記第３のセルから前記ＵＥのＳｐＣｅｌｌを選択すること（１０８０）をさらに含む、請求項３に記載の方法。
【請求項５】
前記第３のセルの前記識別情報が、順序付きリストにて受信され、
前記リストの順序が、前記第１のＤＵの１つまたは複数の動作状態に基づく、請求項３または４に記載の方法。
【請求項６】
前記１つまたは複数の動作状態が、
第１のＤＵ負荷状態と、
前記第３のセルのそれぞれと関連付けられた第１のＤＵリソースの可用性と、
前記第３のセルのそれぞれと関連付けられた第１のＤＵカバレッジエリア内の前記ＵＥの場所と、
のうちのいずれかを含む、請求項５に記載の方法。
【請求項７】
前記第１の応答が、前記第１のＤＵが前記ＵＥのＳｐＣｅｌｌとして前記第１のセルを設定できない理由を示す原因値も含み、
前記原因値が、前記第１のＤＵの前記１つまたは複数の動作状態と関連する、請求項５または６に記載の方法。
【請求項８】
前記第３のセルから前記ＵＥの前記ＳｐＣｅｌｌを選択すること（１０８０）が、前記リストの順序および前記受信した無線信号測定結果に基づく、請求項５から７のいずれか一項に記載の方法。
【請求項９】
前記１つまたは複数の第２のセルが、前記ＵＥの候補ＳｐＣｅｌｌおよび前記ＵＥの候補セカンダリセル（ＳＣｅｌｌ）のうちの一方を含む、請求項１から８のいずれか一項に記載の方法。
【請求項１０】
前記第１のリクエストおよび前記第１の応答が、
ＵＥコンテキスト設定リクエストとＵＥコンテキスト設定障害、および
ＵＥコンテキスト修正リクエストとＵＥコンテキスト修正障害
のメッセージ対のうちの一方を含む、請求項１から９のいずれか一項に記載の方法。
【請求項１１】
前記無線信号測定結果に基づいて、前記複数のセルから、第２のＤＵがサーブする別の第１のセルならびに１つもしくは複数の別の第２のセルを選択すること（１０５０）と、
前記別の第１のセルの識別情報および前記別の第２のセルの識別情報を含む第２のリクエストを前記第２のＤＵに送信すること（１０６０）と、
前記第２のＤＵが前記ＵＥのＳｐＣｅｌｌとして前記別の第１のセルを設定できないという別の第１の指標と、
前記第２のＤＵが前記ＵＥのＳｐＣｅｌｌとしてゼロ個以上の別の第３のセルを設定できるという別の第２の指標と、
を含む第２の応答を前記第２のＤＵから受信すること（１０７０）と、
をさらに含む、請求項２に記載の方法。
【請求項１２】
前記別の第２の指標が、
前記第２のＤＵが前記ＵＥのＳｐＣｅｌｌとして前記別の第２のセルのいずれも設定できないという指標と、
識別された前記別の第３のセルのそれぞれが前記別の第２のセルのうちの１つである前記別の第３のセルの識別情報と、
のうちの少なくとも一方を含む、請求項１１に記載の方法。
【請求項１３】
前記第１の応答により識別される前記第３のセルおよび前記第２の応答により識別される前記別の第３のセルの組合せから、前記ＵＥのＳｐＣｅｌｌを選択すること（１０８０）をさらに含む、請求項１２に記載の方法。
【請求項１４】
基地局の分散ユニット（ＤＵ）により実行され、ユーザ機器（ＵＥ）にサーブするために使用されるスペシャルセル（ＳｐＣｅｌｌ）を選択する方法であって、
前記ＵＥの好適なＳｐＣｅｌｌとして、前記ＤＵがサーブする第１のセルの識別情報と、
前記ＤＵがサーブする１つまたは複数の第２のセルの識別情報と、
を含む第１のリクエストを前記基地局の中央ユニット（ＣＵ）から受信すること（１１１０）と、
前記ＵＥのＳｐＣｅｌｌとして前記第１のセルおよび前記第２のセルのいずれかを設定可能であるか否かを判定すること（１１２０）と、
前記ＵＥのＳｐＣｅｌｌとして前記第１のセルを設定できないという第１の指標と、
前記ＵＥのＳｐＣｅｌｌとしてゼロ個以上の第３のセルを設定できるという第２の指標と、
を含む第１の応答を前記ＣＵに送信すること（１１３０）と、
を含む、方法。
【請求項１５】
前記第２の指標が、
前記第１のＤＵが前記ＵＥのＳｐＣｅｌｌとして前記第２のセルのいずれも設定できないという指標と、
識別された前記第３のセルのそれぞれが前記第２のセルのうちの１つである前記第３のセルの識別情報と、
のうちの一方を含む、請求項１４に記載の方法。
【請求項１６】
前記第３のセルの前記識別情報が、順序付きリストにて送信され、
前記リストの順序が、前記ＤＵの１つまたは複数の動作状態に基づく、請求項１４または１５に記載の方法。
【請求項１７】
前記１つまたは複数の動作状態が、
ＤＵ負荷状態と、
前記第３のセルのそれぞれと関連付けられたＤＵリソースの可用性と、
前記第３のセルのそれぞれと関連付けられたＤＵカバレッジエリア内の前記ＵＥの場所と、
のうちのいずれかを含む、請求項１６に記載の方法。
【請求項１８】
前記第１のリクエストが、前記ＵＥと関連付けられ、ＳｐＣｅｌｌがサーブする１つまたは複数の無線ベアラの識別情報も含み、
前記ＵＥのＳｐＣｅｌｌとして前記第１のセルおよび前記第２のセルのいずれかを設定可能であるか否かを判定すること（１１２０）が、前記第１のセルおよび前記第２のセルに関して前記無線ベアラのアドミッション制御を実行すること（１１２２）を含む、請求項１４から１７のいずれか一項に記載の方法。
【請求項１９】
ユーザ機器（ＵＥ）にサーブするために基地局（３００）の第１の分散ユニット（ＤＵ）（３２０）が使用するスペシャルセル（ＳｐＣｅｌｌ）を選択するように構成された前記基地局（３００）の中央ユニット（ＣＵ）（３１０）であって、
前記ＵＥの好適なＳｐＣｅｌｌとして、前記第１のＤＵがサーブする第１のセルの識別情報と、
前記第１のＤＵがサーブする１つまたは複数の第２のセルの識別情報と、
を含む第１のリクエストを前記第１のＤＵに送信すること（１０３０）と、
前記第１のＤＵが前記ＵＥのＳｐＣｅｌｌとして前記第１のセルを設定できないという第１の指標と、
前記第１のＤＵが前記ＵＥのＳｐＣｅｌｌとしてゼロ個以上の第３のセルを設定できるという第２の指標と、
を含む第１の応答を前記第１のＤＵから受信すること（１０４０）と、
を行うように構成された、中央ユニット（ＣＵ）（３１０）。
【請求項２０】
ユーザ機器（ＵＥ）にサーブするために使用されるスペシャルセル（ＳｐＣｅｌｌ）を選択するように構成された基地局（３００）の分散ユニット（ＤＵ）（３２０）であって、
前記ＵＥの好適なＳｐＣｅｌｌとして、前記ＤＵがサーブする第１のセルの識別情報と、
前記ＤＵがサーブする１つまたは複数の第２のセルの識別情報と、
を含む第１のリクエストを前記基地局の中央ユニット（ＣＵ）から受信すること（１１１０）と、
前記ＵＥのＳｐＣｅｌｌとして前記第１のセルおよび前記第２のセルのいずれかを設定可能であるか否かを判定すること（１１２０）と、
前記ＵＥのＳｐＣｅｌｌとして前記第１のセルを設定できないという第１の指標と、
前記ＵＥのＳｐＣｅｌｌとしてゼロ個以上の第３のセルを設定できるという第２の指標と、
を含む第１の応答を前記ＣＵに送信すること（１１３０）と、
を行うように構成された、分散ユニット（ＤＵ）（３２０）。
【請求項２１】
基地局（３００）の中央ユニット（ＣＵ）（３１０）を含む処理回路により実行される場合に、請求項１から１３のいずれか一項に記載の方法に対応する動作を実行するように前記ＣＵを設定するコンピュータ実行可能命令を格納した非一時的コンピュータ可読媒体（１２８０）。
【請求項２２】
基地局（３００）の分散ユニット（ＤＵ）（３２０）を含む処理回路により実行される場合に、請求項１４から１８のいずれか一項に記載の方法に対応する動作を実行するように前記ＤＵを設定するコンピュータ実行可能命令を格納した非一時的コンピュータ可読媒体（１２８０）。
【国際調査報告】
2021515465.tif 000023
2021515465.tif 000024
2021515465.tif 000025